(57)【要約】  ワイヤレス通信システムは、無線ネットワークコントローラ（ＲＮＣ）に、ユーザ機器へ送信するためにデータの部分を第１のサービングセルおよび第２のサービングセルに割り当てさせることによって、高速ダウンリンクパケットアクセス（ＨＳＤＰＡ）において送信する。第１のサービングセルは、第１のダウンリンクキャリア上でユーザ機器へデータを送信する。第２のサービングセルは、第１のサービングセルから独立しており、第２のダウンリンクキャリア上でユーザ機器へデータを送信する。任意の態様では、ＲＮＣは、測定報告を、第１のサービングセルおよび第２のサービングセルのうち少なくとも１つを介して、第１のアップリンクキャリア上でユーザ機器から受信する。
2013543334.tif 000002
【特許請求の範囲】
【請求項１】
２つの独立セルまたはセクタから、高速ダウンリンクパケットアクセス（ＨＳＤＰＡ）においてデータを受信する装置であって、
ユーザ機器において、第１のサービングセルから第１のダウンリンクキャリア上でデータを受信するための手段と、
前記ユーザ機器において、前記第１のサービングセルから独立している第２のサービングセルから、第２のダウンリンクキャリア上でデータを受信するための手段と
を備える装置。
【請求項２】
前記ユーザ機器において、前記第１のサービングセルから前記第１のダウンリンクキャリア上でデータを受信するための第１の受信機と、
前記ユーザ機器において、前記第１のサービングセルから独立している前記第２のサービングセルから、前記第２のダウンリンクキャリア上でデータを受信するための第２の受信機と
をさらに備える、請求項１に記載の装置。
【請求項３】
前記第１のサービングセルおよび前記第２のサービングセルは、前記ユーザ機器による測定報告に基づいて、アクティブセットから、無線ネットワークコントローラ（ＲＮＣ）によって選択される、請求項２に記載の装置。
【請求項４】
前記ユーザ機器によって、チャネルフィードバックを、第１のアップリンクキャリア上で、前記第１のサービングセルおよび前記第２のサービングセルのうち少なくとも１つへ送信するための第１の送信機をさらに備える、請求項２に記載の装置。
【請求項５】
前記第１の受信機はさらに、前記第１のダウンリンクキャリアのための前記第１のサービングセルによって送信された第１の高速共有制御チャネル（ＨＳ−ＳＣＣＨ）を監視するためのものであり、
前記第２の受信機はさらに、前記第２のダウンリンクキャリアのための前記第２のサービングセルによって送信された第２のＨＳ−ＳＣＣＨを監視するためのものであり、
前記装置は、前記第１のアップリンクキャリア上で１つのコードワードにおいて、前記第１のＨＳ−ＳＣＣＨおよび前記第２のＨＳ−ＳＣＣＨに少なくとも部分的に基づいて、高速ダウンリンク物理制御チャネル（ＨＳ−ＤＰＣＣＨ）情報を備えるチャネルフィードバックを符号化するためのエンコーダをさらに備える、請求項４に記載の装置。
【請求項６】
前記ユーザ機器によって、データを、第２のアップリンクキャリア上で、前記第１のサービングセルおよび前記第２のサービングセルのうち少なくとも１つへ送信するための第２の送信機をさらに備え、前記第１のアップリンクキャリアは、アンカーキャリアを備える、請求項５に記載の装置。
【請求項７】
前記第１の受信機および前記第２の受信機のうち少なくとも１つはさらに、第１のキャリアグループへの前記第１のダウンリンクキャリアおよび前記第１のアップリンクキャリアの第１の割当てを受信し、第２のキャリアグループへの前記第２のダウンリンクキャリアおよび第２のアップリンクキャリアの第２の割当てを受信するためのものであり、
前記第１の送信機はさらに、前記ユーザ機器によって、チャネルフィードバックを、前記第１のアップリンクキャリア上で、前記第１のサービングセルへ送信するためのものであり、
前記装置は、前記ユーザ機器によって、チャネルフィードバックを、第２のアップリンクキャリア上で、前記第２のサービングセルへ送信するための第２の送信機をさらに備える、請求項４に記載の装置。
【請求項８】
前記第１の受信機および前記第２の受信機のうち少なくとも１つはさらに、選択されたキャリアグループに割り当てられたダウンリンクキャリアごとに高速共有制御チャネル（ＨＳ−ＳＣＣＨ）を監視することによって、前記選択されたキャリアグループのための前記チャネルフィードバックを決定するためのものである、請求項７に記載の装置。
【請求項９】
前記第１の受信機および前記第２の受信機のうち少なくとも１つはさらに、チャネル品質が前記第１のダウンリンクキャリアおよび前記第２のダウンリンクキャリアのいずれか一方の閾値を下回ることに応答して、選択されたキャリアグループのためのサービングセル間のモビリティのトリガリングを受信するためのものである、請求項８に記載の装置。
【請求項１０】
前記第１の受信機および前記第２の受信機のうち少なくとも１つはさらに、チャネル品質が、アンカーキャリアとして指定された、前記第１のダウンリンクキャリアおよび前記第２のダウンリンクキャリアのうち選択された一方の閾値を下回ることに応答して、サービングセル間のモビリティのトリガリングを受信するためのものである、請求項４に記載の装置。
【請求項１１】
前記第１の受信機および前記第２の受信機のうち少なくとも１つはさらに、近隣セルおよびセクタのアクティブセットの更新を促すために、新しいセルによって送信された第３のダウンリンクキャリアの圧縮モードを使用してチャネル品質を測定するためのものである、請求項１０に記載の装置。
【請求項１２】
前記第１の受信機および前記第２の受信機のうち少なくとも１つはさらに、チャネル品質が前記第１のダウンリンクキャリアおよび前記第２のダウンリンクキャリアのいずれか一方の閾値を下回ることに応答して、サービングセル間のモビリティのトリガリングを受信するためのものである、請求項４に記載の装置。
【請求項１３】
前記第１のサービングセルは、第１のサービングセクタを備え、前記第２のサービングセルは、第２のサービングセクタを備える、請求項２に記載の装置。
【請求項１４】
２つの独立セルまたはセクタから、高速ダウンリンクパケットアクセス（ＨＳＤＰＡ）においてデータを送信する装置であって、
無線ネットワークコントローラ（ＲＮＣ）によって、データの部分を、ユーザ機器へ送信するために第１のサービングセルおよび第２のサービングセルに割り当てるための手段と、
前記第１のサービングセルによって、第１のダウンリンクキャリア上で前記ユーザ機器へデータを送信するための手段と、
前記第１のサービングセルから独立している前記第２のサービングセルによって、第２のダウンリンクキャリア上で前記ユーザ機器へデータを送信するための手段と
を備える装置。
【請求項１５】
前記ユーザ機器へ送信するためにデータの部分を前記第１のサービングセルおよび前記第２のサービングセルに割り当てるための前記ＲＮＣと、
前記第１のダウンリンクキャリア上で前記ユーザ機器へデータを送信するための前記第１のサービングセルと、
前記第２のダウンリンクキャリア上で前記ユーザ機器へデータを送信するための、前記第１のサービングセルから独立している前記第２のサービングセルと
をさらに備える、請求項１４に記載の装置。
【発明の詳細な説明】
【米国特許法第１１９条に基づく優先権の主張】
【０００１】
[0001]  本特許出願は、本出願の譲受人に譲渡され、参照により明白に本明細書に組み込まれる、２０１０年１０月１３日に出願された「ＣＯＭＭＵＮＩＣＡＴＩＮＧ  ＢＥＴＷＥＥＮ  Ａ  ＵＳＥＲ  ＥＱＵＩＰＭＥＮＴ（ＵＥ）  ＡＮＤ  Ａ  ＰＬＵＲＡＬＩＴＹ  ＯＦ  ＩＮＤＥＰＥＮＤＥＮＴ  ＳＥＲＶＩＮＧ  ＳＥＣＴＯＲＳ  ＩＮ  Ａ  ＷＩＲＥＬＥＳＳ  ＣＯＭＭＵＮＩＣＡＴＩＯＮＳ  ＳＹＳＴＥＭ」と題する仮出願第６１／３９２，９１５号の優先権を主張する。
【技術分野】
【０００２】
[0002]  本出願は、ワイヤレス通信システムにおけるユーザ機器（ＵＥ）と複数の独立サービングセクタの間の通信に関する。
【背景技術】
【０００３】
[0003]  ワイヤレス通信ネットワークは、電話、ビデオ、データ、メッセージング、ブロードキャストなどの様々な通信サービスを提供するために広く展開されている。そのようなネットワークは、通常、多元接続ネットワークであり、利用可能なネットワークリソースを共有することによって複数のユーザのための通信をサポートする。そのようなネットワークの一例は、ＵＭＴＳ地上無線アクセスネットワーク（Terrestrial Radio Access Network）（ＵＴＲＡＮ）である。ＵＴＲＡＮは、第３世代パートナーシップ・プロジェクト（3rd Generation Partnership Project）（３ＧＰＰ）によってサポートされる第３世代（３Ｇ）モバイルフォン技術である、ユニバーサル・モバイル通信システム（Universal Mobile Telecommunications System）（ＵＭＴＳ）の一部として定義された無線アクセスネットワーク（radio access network）（ＲＡＮ）である。ＵＭＴＳは、移動通信のためのグローバルシステム（Global System for Mobile Communications）（ＧＳＭ）（登録商標）技術の後継であり、現在、広帯域符号分割多元接続（Ｗ−ＣＤＭＡ）（登録商標）、時分割符号分割多元接続（ＴＤ−ＣＤＭＡ）、および、時分割同期符号分割多元接続（ＴＤ−ＳＣＤＭＡ）など、様々なエアインターフェース規格をサポートする。ＵＭＴＳはまた、高速パケットアクセス（High Speed Packet Access）（ＨＳＤＰＡ）など、拡張型３Ｇデータ通信プロトコルをもサポートし、このプロトコルは、より高いデータ転送速度および容量を、関連するＵＭＴＳネットワークに提供する。
【０００４】
[0004]  そのような通信システムの設計では、利用可能なリソースがあるとすれば、容量を最大にし、またはシステムが確実にサポートできるユーザ数を最大にすることが望ましい。
【発明の概要】
【０００５】
[0005]  以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００６】
[0006]  一態様では、本開示は、２つの独立セルまたはセクタ（two independent cells or sectors）から、高速ダウンリンクパケットアクセス（High Speed Downlink Packet Access）（ＨＳＤＰＡ）においてデータを受信する方法を提供する。ユーザ機器（ＵＥ）は、第１のサービングセルから第１のダウンリンクキャリア上でデータを受信する。このＵＥは、第１のサービングセルから独立している第２のサービングセルから、第２のダウンリンクキャリア上でデータを受信する。例示的な態様では、ＵＥは、チャネルフィードバックを、第１のアップリンクキャリア上で、第１のサービングセルおよび第２のサービングセルのうち少なくとも１つへ送信する。
【０００７】
[0007]  別の態様では、本開示は、２つの独立セルまたはセクタから、ＨＳＤＰＡにおいてデータを受信するための、少なくとも１つのプロセッサを提供する。第１のモジュールは、第１のサービングセルから第１のダウンリンクキャリア上でデータを受信する。第２のモジュールは、第１のサービングセルから独立している第２のサービングセルから、第２のダウンリンクキャリア上でデータを受信する。例示的な態様では、第３のモジュールは、チャネルフィードバックを、第１のアップリンクキャリア上で、第１のサービングセルおよび第２のサービングセルのうち少なくとも１つへ送信する。
【０００８】
[0008]  追加の態様では、本開示は、２つの独立セルまたはセクタから、ＨＳＤＰＡにおいてデータを受信する、コンピュータプログラム製品を提供する。非一時的コンピュータ可読記憶媒体が、複数のコードセットを記憶する。第１のコードセットは、コンピュータに、ユーザ機器において、第１のサービングセルから第１のダウンリンクキャリア上でデータを受信させる。第２のコードセットは、コンピュータに、ユーザ機器において、第１のサービングセルから独立している第２のサービングセルから、第２のダウンリンクキャリア上でデータを受信させる。例示的な態様では、第３のコードセットは、コンピュータに、ユーザ機器によってチャネルフィードバックを第１のアップリンクキャリア上で第１のサービングセルおよび第２のサービングセルのうち少なくとも１つへ送信させる。
【０００９】
[0009]  さらなる態様では、本開示は、２つの独立セルまたはセクタから、ＨＳＤＰＡにおいてデータを受信する装置を提供する。この装置は、ユーザ機器において、第１のサービングセルから第１のダウンリンクキャリア上でデータを受信するための手段を備える。装置は、ユーザ機器において、第１のサービングセルから独立している第２のサービングセルから、第２のダウンリンクキャリア上でデータを受信するための手段を備える。例示的な態様では、装置は、ユーザ機器によって、チャネルフィードバックを、第１のアップリンクキャリア上で、第１のサービングセルおよび第２のサービングセルのうち少なくとも１つへ送信するための手段を備える。
【００１０】
[0010]  さらに別の態様では、本開示は、２つの独立セルまたはセクタから、ＨＳＤＰＡにおいてデータを受信する装置を提供する。第１の受信機は、ユーザ機器において、第１のサービングセルから第１のダウンリンクキャリア上でデータを受信する。第２の受信機は、ユーザ機器において、第１のサービングセルから独立している第２のサービングセルから、第２のダウンリンクキャリア上でデータを受信する。例示的な態様では、第１の送信機は、ユーザ機器によってチャネルフィードバックを第１のアップリンクキャリア上で第１のサービングセルおよび第２のサービングセルのうち少なくとも１つへ送信する。
【００１１】
[0011]  またさらなる態様では、本開示は、２つの独立セルまたはセクタから、ＨＳＤＰＡにおいてデータを送信する方法を提供する。無線アクセスネットワーク（ＲＡＮ）は、無線ネットワークコントローラ（ＲＮＣ）によって、ユーザ機器へ送信するためにデータの部分を第１のサービングセルおよび第２のサービングセルに割り当てる。このＲＡＮは、第１のサービングセルによって、第１のダウンリンクキャリア上でユーザ機器へデータを送信する。ＲＡＮは、第１のサービングセルから独立している第２のサービングセルによって、第２のダウンリンクキャリア上でユーザ機器へデータを送信する。任意の態様では、ＲＡＮは、ＲＮＣによって、チャネルフィードバックを、第１のサービングセルおよび第２のサービングセルのうち少なくとも１つを介して、第１のアップリンクキャリア上でユーザ機器から受信する。
【００１２】
[0012]  別の態様では、本開示は、２つの独立セルまたはセクタからＨＳＤＰＡにおいてデータを送信するための少なくとも１つのプロセッサを提供する。第１のモジュールは、ＲＮＣによって、データの部分を、ユーザ機器へ送信するために第１のサービングセルおよび第２のサービングセルに割り当てる。第２のモジュールは、第１のサービングセルによって、第１のダウンリンクキャリア上でユーザ機器へデータを送信する。第３のモジュールは、第１のサービングセルから独立している第２のサービングセルによって、第２のダウンリンクキャリア上でユーザ機器へデータを送信する。任意の態様では、第４のモジュールは、ユーザ機器から、チャネルフィードバックを、第１のサービングセルおよび第２のサービングセルのうち少なくとも１つを介して第１のアップリンクキャリア上で受信する。
【００１３】
[0013]  追加の態様では、本開示は、２つの独立セルまたはセクタからＨＳＤＰＡにおいてデータを送信する、コンピュータプログラム製品を提供する。非一時的コンピュータ可読記憶媒体が、複数のコードセットを記憶する。第１のコードセットは、コンピュータに、ＲＮＣによって、データの部分を、ユーザ機器へ送信するために第１のサービングセルおよび第２のサービングセルに割り当てさせる。第２のコードセットは、コンピュータに、第１のサービングセルによって第１のダウンリンクキャリア上でユーザ機器へデータを送信させる。第３のコードセットは、コンピュータに、第１のサービングセルから独立している第２のサービングセルによって第２のダウンリンクキャリア上でユーザ機器へデータを送信させる。場合によっては、第４のコードセットは、コンピュータに、ユーザ機器からチャネルフィードバックを第１のサービングセルおよび第２のサービングセルのうち少なくとも１つを介して第１のアップリンクキャリア上で受信させる。
【００１４】
[0014]  さらなる態様では、本開示は、２つの独立セルまたはセクタからＨＳＤＰＡにおいてデータを送信する装置を提供する。この装置は、ＲＮＣによって、データの部分を、ユーザ機器へ送信するために第１のサービングセルおよび第２のサービングセルに割り当てるための手段を備える。この装置は、第１のサービングセルによって、第１のダウンリンクキャリア上でユーザ機器へデータを送信するための手段を備える。この装置は、第１のサービングセルから独立している第２のサービングセルによって、第２のダウンリンクキャリア上でユーザ機器へデータを送信するための手段を備える。任意の態様では、この装置は、ユーザ機器から、チャネルフィードバックを、第１のサービングセルおよび第２のサービングセルのうち少なくとも１つを介して第１のアップリンクキャリア上で受信するための手段を備える。
【００１５】
[0015]  さらに別の態様では、本開示は、２つの独立セルまたはセクタから、ＨＳＤＰＡにおいてデータを送信する装置を提供する。ＲＮＣは、データの部分を、ユーザ機器へ送信するために第１のサービングセルおよび第２のサービングセルに割り当てる。第１のサービングセルは、第１のダウンリンクキャリア上でユーザ機器へデータを送信する。第２のサービングセルは、第１のサービングセルから独立しており、第２のダウンリンクキャリア上でユーザ機器へデータを送信する。任意の態様では、ＲＮＣは、チャネルフィードバックを、第１のサービングセルおよび第２のサービングセルのうち少なくとも１つを介して第１のアップリンクキャリア上でユーザ機器から受信する。
【００１６】
[0016]  上記および関連する目的を達成するために、１つまたは複数の態様は、以下で詳細に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理を採用することができる様々な方法のほんのいくつかを示すものであり、この説明は、すべてのそのような態様と、それらの均等物とを含むものとする。
【００１７】
[0017]  本開示の特徴、性質、および利点は、全体を通じて同様の参照符号が同様のものを指す図面とともに、以下に記載する詳細な説明を読めばより明らかになろう。
【図面の簡単な説明】
【００１８】
【図１】ワイヤレス通信システムにおけるユーザ装置およびネットワーク装置の一態様のタイミング図。
【図２Ａ】ユーザ装置によって実行される独立サービングセルからの受信データを使用した通信のための方法の一態様のフロー図。
【図２Ｂ】ネットワーク装置によって実行される独立サービングセルからの送信データを使用した通信のための方法の一態様のフロー図。
【図３】電気通信システムの一態様の一例を概念的に示すブロック図。
【図４】アクセスネットワークの一態様の一例を示す概念図。
【図５】電気通信システムにおいてＵＥと通信しているノードＢの一態様の一例を概念的に示すブロック図。
【図６】処理システムを採用する装置のためのハードウェア実装形態の一態様の一例を示す図。
【図７】単一のセクタ内で複数のキャリア上でレガシーＵＥへデータを送信する方法の一態様を示す図。
【図８】図７の方法中に、所与のユーザ機器（ＵＥ）とサービングセクタの間で確立される接続の一態様を示す図。
【図９Ａ】本発明の一態様による、複数のサービングセクタを介してＵＥへデータを送信する方法を示す図。
【図９Ｂ】本発明の別の態様による、複数のサービングセクタを介してＵＥへデータを送信する方法を示す図。
【図１０Ａ】図９Ａから図９Ｂの方法による、所与のＵＥと複数のサービングセクタの間で確立される接続の一態様のブロック図を示す図。
【図１０Ｂ】図９Ａから図９Ｂの方法による、所与のＵＥと複数のサービングセクタの間で確立される接続の一態様のブロック図を示す図。
【図１０Ｃ】図９Ａから図９Ｂの方法による、所与のＵＥと複数のサービングセクタの間で確立される接続の一態様のブロック図を示す図。
【図１０Ｄ】図９Ａから図９Ｂの方法による、所与のＵＥと複数のサービングセクタの間で確立される接続の一態様のブロック図を示す図。
【図１０Ｅ】図９Ａから図９Ｂの方法による、所与のＵＥと複数のサービングセクタの間で確立される接続の一態様のブロック図を示す図。
【図１０Ｆ】図９Ａから図９Ｂの方法による、所与のＵＥと複数のサービングセクタの間で確立される接続の一態様のブロック図を示す図。
【図１０Ｇ】図９Ａから図９Ｂの方法による、所与のＵＥと複数のサービングセクタの間で確立される接続の一態様のブロック図を示す図。
【図１１Ａ】ユーザ装置によって実行されるデュアルアップリンク送信時間間隔を使用した通信のための電気的構成要素の論理グループのシステムの一態様のブロック図。
【図１１Ｂ】ネットワーク装置によって実行されるデュアルアップリンク送信時間間隔を使用した通信のための電気的構成要素の論理グループのシステムの一態様のロック図。
【詳細な説明】
【００１９】
[0032]  ユーザ機器（ＵＥ）は、第１のサービングセクタと第２のサービングセクタとを同時に確立する(establish)。第１のサービングセクタは、第１のキャリアのセットからの少なくとも１つのダウンリンクキャリア上でＵＥへ送信するように構成され、第２のサービングセクタは、第２のキャリアのセットのうち少なくとも１つのダウンリンクキャリア上でＵＥへ送信するように構成される。ＵＥには、それによってＵＥがフィードバックを第１および第２のサービングセクタへ送ることができる、１つのアップリンクキャリアが割り当てられ、アップリンクキャリアは、第１および第２のキャリアのセットの中に含まれる。ＵＥは、第１および第２のサービングセクタから、それらのそれぞれのダウンリンクキャリア上で、データ送信を受信する。ＵＥは、ローカルセクタのパイロット信号を測定し、アップリンクキャリア上でチャネルフィードバックを提供する。アクセスネットワークは、測定報告に基づいて、ＵＥのためのアクティブセットを維持する。
【００２０】
[0033]  添付の図面に関して以下に示す詳細な説明は、様々な構成を説明するものであり、本明細書で説明する概念が実施され得る唯一の構成を表すものではない。この詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造と構成要素とをブロック図の形式で示す。
【００２１】
[0034]  図１を参照すると、ワイヤレス通信システム１００において、無線アクセスネットワーク（ＲＡＮ）１０２として示されたネットワーク装置は、複数のキャリア上で、ユーザ機器（ＵＥ）１１４として示されたユーザ装置へ送信する複数の独立サービングセル（independent serving cell）を管理する、独立サービングセル送信コントローラ１０１を含む。一態様では、ＲＡＮ１０２は、第１のベースノード１０８によって提供された第１のサービングセル１０６として、および、第２のベースノード１１２によって提供された第２のサービングセル１１０として示された、２つの独立セルから、ＵＥ１１４へ、高速ダウンリンクパケットアクセス（ＨＳＤＰＡ）において、データ１０４を送信する。一態様では、ＲＡＮ１０２の無線ネットワークコントローラ（ＲＮＣ）１１６として示されたスケジューラは、独立サービングセル送信コントローラ１０１を実行し、結果として、ＵＥ１１４へ送信するために、データ１０４の部分を第１のサービングセル１０６および第２のサービングセル１１０に割り当てる。具体的には、第１のサービングセル１０６は、データ１０４を、第１のダウンリンクキャリア１１８上でＵＥ１１４へ送信する。第２のサービングセル１１０は、第１のサービングセル１０６から独立しており、データ１０４を、第２のダウンリンクキャリア１２０上でＵＥ１１４へ送信する。ＲＮＣ１１６および／または独立サービングセル送信コントローラ１０１は、チャネルフィードバック１２２を、第１のサービングセル１０６および第２のサービングセル１１０のうち少なくとも１つを介して、第１のアップリンクキャリア１２４上でＵＥ１１４から受信する。第１および第２のベースノードは、送信および受信のために少なくとも１つのアンテナ１３０を利用する、送信機１２６と受信機１２８とをそれぞれ備えてもよい。
【００２２】
[0035]  同様に、ＵＥ１１４において複数のキャリア上で受信側の独立サービングセル（receiving independent serving cell）を管理するための独立サービングセル受信コントローラ１０３は、一態様では、ＵＥ１１４が２つの独立セルまたはセクタから、ＨＳＤＰＡにおいてデータを受信可能にするように、動作してもよい。第１の受信機１３２は、データ１０４を、第１のサービングセル１０６から、第１のダウンリンクキャリア１１８上で受信する。第２の受信機１３４は、データ１０４を、第１のサービングセル１０６から独立している第２のサービングセル１１０から、第２のダウンリンクキャリア１２０上で受信する。第１の送信機１３６は、チャネルフィードバック１２２を、第１のアップリンクキャリア１２４上で、第１のサービングセル１０６および第２のサービングセル１１０のうち少なくとも１つへ送信する。
【００２３】
[0036]  例示的な態様では、ＵＥ１１４は、第２のアップリンクキャリア１４０を送信するための第２の送信機１３８を有し、第２のアップリンクキャリア１４０は、アンカーキャリア（anchor carrier）になり得る。第１および第２の受信機１３２、１３４、ならびに、第１および第２の送信機１３６、１３８は、１つまたは複数のアンテナ１４２を利用する。
【００２４】
[0037]  キャリアは、アンカーキャリアが非アンカーキャリア（non-anchor carrier）のための制御チャネルを搬送するという点で、アンカーキャリアと見なされ得る。代替的にまたは追加として、アンカーキャリアの測定値は、モビリティの決定（mobility decision）を行うための基礎になり得る。代替的にまたは追加として、単一のアップリンクはまた、単一のアクティブセットがＵＥ（およびネットワーク）によって、アンカーキャリア上でのみ維持されることを意味する。
【００２５】
[0038]  Ｗ−ＣＤＭＡ  Ｒｅｌ．８、９および１０における、現在のマルチキャリアＨＳＰＡでは、すべてのダウンリンクキャリアは、同じサービングセルを有する。そのような実装形態は、媒体アクセス制御（ＭＡＣ）レイヤおよび無線リンク制御（ＲＬＣ）レイヤ上のある動作を単純化するが、そのような実装形態はまた、多くの状況において、ＵＥデータレートを制限する。本発明は、２つ以上の独立セクタまたはセルのワイヤレス通信システムを可能にし、各キャリアのサービングセルは、独立して選ばれ得る。ＵＥからの１つまたは複数のアップリンクキャリア上のチャネルフィードバックが扱われる（addressed）。具体的には、キャリアは、キャリアグループにグループ化され得る。各キャリアグループは、１つのアップリンクキャリアと、したがって１つのアクティブセットとを有する。ダウンリンクキャリアごとのサービングセルが、そのキャリアグループのためのアクティブセット内のメンバーセルの中から選ばれる。モビリティ（mobility）は、アンカーキャリアに基づくことが可能であり、または、キャリアグループごとに独立してもよい。ＨＳ−ＤＰＣＣＨは、１つのコードワードにコーディングされ、アンカーアップリンクキャリア上で送られ得るか、または、キャリアグループごとにコーディングされ、そのキャリアグループにリンクされたアップリンクキャリア上で送られ得る。
【００２６】
[0039]  このようにして、一態様では、第１のサービングセルおよび第２のサービングセルは、たとえば、独立サービングセル送信コントローラ１０１を実行するＲＮＣ１１６によって、測定レポート１４３に基づいて、アクティブセットから選択され得る。
【００２７】
[0040]  別の態様では、第１のサービングセル１０６は、第１のダウンリンクキャリア１１８のための第１の高速共有制御チャネル（High Speed Shared Control Channel）（ＨＳ−ＳＣＣＨ）を送信する。第２のサービングセル１１０は、第２のダウンリンクキャリア１２０のための第２のＨＳ−ＳＣＣＨを送信する。一態様では、独立サービングセル受信コントローラ１０３の動作に応答して、ＵＥ１１４におけるエンコーダ１４４は、第１のＨＳ−ＳＣＣＨおよび第２のＨＳ−ＳＣＣＨに少なくとも部分的に基づいて、高速ダウンリンク物理制御チャネル（High Speed Downlink Physical Control Channel）（ＨＳ−ＤＰＣＣＨ）情報を備えるチャネルフィードバック１２２を、第１のアップリンクキャリア１２４上で１つのコードワードにおいて符号化する。この１つのコードワードは、ＲＡＮ１０２においてデコーダ１４６によって復号され得る。
【００２８】
[0041]  上記によって、図２Ａでは、図１のユーザ機器１１４によって実行されるなどの方法２００は、２つの独立セルまたはセクタから、高速ダウンリンクパケットアクセス（ＨＳＤＰＡ）においてデータを受信するためのものである。ユーザ機器は、第１のサービングセルから第１のダウンリンクキャリア上でデータを受信する（ブロック２０２）。ユーザ機器は、第１のサービングセルから独立している第２のサービングセルから、第２のダウンリンクキャリア上でデータを受信する（ブロック２０４）。任意の態様では、ユーザ機器は、チャネルフィードバックを、第１のアップリンクキャリア上で、第１のサービングセルおよび第２のサービングセルのうち少なくとも１つへ送信する（ブロック２０６）。
【００２９】
[0042]  例示的な態様では、第１のサービングセルおよび第２のサービングセルは、測定報告に基づいて、アクティブセットから、無線ネットワークコントローラ（ＲＮＣ）によって選択される。
【００３０】
[0043]  別の例示的な態様では、この方法はさらに、第１のダウンリンクキャリアのための第１のサービングセルによって送信された第１の高速共有制御チャネル（ＨＳ−ＳＣＣＨ）を監視することと、第２のダウンリンクキャリアのための第２のサービングセルによって送信された第２のＨＳ−ＳＣＣＨを監視することとを備える。ユーザ機器は、第１のアップリンクキャリア上で１つのコードワードにおいて、第１のＨＳ−ＳＣＣＨおよび第２のＨＳ−ＳＣＣＨに少なくとも部分的に基づいて、高速ダウンリンク物理制御チャネル（ＨＳ−ＤＰＣＣＨ）情報を備えるチャネルフィードバックを符号化する。特定の態様では、ユーザ機器は、データを、第２のアップリンクキャリア上で、第１のサービングセルおよび第２のサービングセルのうち少なくとも１つへ送信し、第１のアップリンクキャリアは、アンカーキャリアを備える。
【００３１】
[0044]  追加の例示的な態様では、ユーザ機器は、第１のキャリアグループへの第１のダウンリンクキャリアおよび第１のアップリンクキャリアの第１の割当てを受信し、第２のキャリアグループへの第２のダウンリンクキャリアおよび第２のアップリンクキャリアの第２の割当てを受信する。ユーザ機器は、チャネルフィードバックを、第１のアップリンクキャリア上で、第１のサービングセルへ送信し、チャネルフィードバックを、第２のアップリンクキャリア上で、第２のサービングセルへ送信する。特定の態様では、ユーザ機器は、選択されたキャリアグループに割り当てられたダウンリンクキャリアごとにＨＳ−ＳＣＣＨを監視することによって、選択されたキャリアグループのためのチャネルフィードバックを決定する。より具体的な態様では、ユーザ機器は、チャネル品質が第１のダウンリンクキャリアおよび第２のダウンリンクキャリアのいずれか一方の閾値を下回ることに応答して、選択されたキャリアグループのためのサービングセル間のモビリティをトリガする。
【００３２】
[0045]  さらなる例示的な態様では、ユーザ機器は、チャネル品質が、アンカーキャリアとして指定された、第１のダウンリンクキャリアおよび第２のダウンリンクキャリアのうち選択された一方の閾値を下回ることに応答して、サービングセル間のモビリティをトリガする。特定の態様では、ユーザ機器は、近隣セルおよびセクタのアクティブセットを更新するために、新しいセルによって送信された第３のダウンリンクキャリアの圧縮モード（compressed mode）を使用してチャネル品質を測定する。
【００３３】
[0046]  さらに別の態様では、ユーザ機器は、チャネル品質が第１のダウンリンクキャリアおよび第２のダウンリンクキャリアのいずれか一方の閾値を下回ることに応答して、サービングセル間のモビリティをトリガする。
【００３４】
[0047]  さらなる追加の態様では、第１のサービングセルは、第１のサービングセクタを備えてもよく、第２のサービングセルは、第２のサービングセクタを備えてもよい。
【００３５】
[0048]  図２Ｂでは、図１のネットワーク装置、たとえば、ＲＡＮ１０２によって実行されるなどの方法２５０は、２つの独立セルまたはセクタから、ＨＳＤＰＡにおいてデータを送信するためのものである。ＲＡＮは、ＲＮＣによって、データの部分を、ユーザ機器へ送信するために第１のサービングセルおよび第２のサービングセルに割り当てる（ブロック２５２）。ＲＡＮは、第１のサービングセルによって、第１のダウンリンクキャリア上でユーザ機器へデータを送信する（ブロック２５４）。ＲＡＮは、第１のサービングセルから独立している第２のサービングセルによって、第２のダウンリンクキャリア上でユーザ機器へデータを送信する（ブロック２５６）。例示的な態様では、ＲＡＮは、ＲＮＣによって、チャネルフィードバックを、第１のサービングセルおよび第２のサービングセルのうち少なくとも１つを介して、第１のアップリンクキャリア上でユーザ機器から受信する（ブロック２５８）。
【００３６】
[0049]  一態様では、第１のサービングセルおよび第２のサービングセルは、測定報告に基づいて、アクティブセットから、ＲＮＣによって選択され、それにより、レガシーＵＥをサポートすることができる。
【００３７】
[0050]  別の態様では、ＲＡＮは、第１のダウンリンクキャリアのための第１のサービングセルによって第１のＨＳ−ＳＣＣＨを送信し、第２のダウンリンクキャリアのための第２のサービングセルによって第２のＨＳ−ＳＣＣＨを送信する。ＲＡＮは、第１のＨＳ−ＳＣＣＨおよび第２のＨＳ−ＳＣＣＨに少なくとも部分的に基づいて、高速ダウンリンク物理制御チャネル（ＨＳ−ＤＰＣＣＨ）情報を備える、第１のアップリンクキャリア上で１つのコードワードにおいて受信されたチャネルフィードバックを復号する。例示的な態様では、ＲＡＮは、第１のサービングセルおよび第２のサービングセルのうち少なくとも１つによって、ユーザ機器から第２のアップリンクキャリア上でデータを受信し、第１のアップリンクキャリアは、アンカーキャリアを備える。
【００３８】
[0051]  追加の態様では、ＲＡＮは、第１のダウンリンクキャリアと第１のアップリンクキャリアとを第１のキャリアグループに割り当て、第２のダウンリンクキャリアと第２のアップリンクキャリアとを第２のキャリアグループに割り当てる。ＲＡＮは、第１のサービングセルによって、ユーザ機器から第１のアップリンクキャリア上でチャネルフィードバックを受信する。ＲＡＮは、第２のサービングセルによって、ユーザ機器から第２のアップリンクキャリア上でチャネルフィードバックを受信する。例示的な態様では、ＲＡＮは、選択されたキャリアグループに割り当てられたダウンリンクキャリアごとのＨＳ−ＳＣＣＨに基づいて、選択されたキャリアグループのためのチャネルフィードバックを受信する。特定の態様では、ＲＡＮは、チャネル品質が第１のダウンリンクキャリアおよび第２のダウンリンクキャリアのいずれか一方の閾値を下回ることに応答して、選択されたキャリアグループのためのサービングセル間のモビリティをトリガする。
【００３９】
[0052]  さらなる態様では、ＲＡＮは、第１のサービングセルによって、第２のダウンリンクキャリアを使用して、他のユーザ機器へデータを送信する。ＲＡＮは、ＲＮＣの動作を通して、スループット増大のために、ユーザ機器へ、第１のダウンリンクキャリアを送信するための第１のサービングセルと、第２のダウンリンクキャリアを送信するための第２のサービングセルとを選択する。
【００４０】
[0053]  さらに別の態様では、ＲＡＮは、第１のサービングセルによって、第２のダウンリンクキャリアを使用してデータを送信する。ＲＡＮは、第２のサービングセルによって、第１のアップリンクキャリアを使用してデータにより、他のユーザ機器へ送信する。ＲＡＮは、ＲＮＣの動作を通して、負荷分散（load balancing）のために、ユーザ機器へ、第１のダウンリンクキャリアを送信するための第１のサービングセルと、第２のダウンリンクキャリアを送信するための第２のサービングセルとを選択する。
【００４１】
[0054]  さらなる追加の態様では、ＲＡＮは、チャネル品質が、アンカーキャリアとして指定された、第１のダウンリンクキャリアおよび第２のダウンリンクキャリアのうち選択された一方の閾値を下回ることに応答して、サービングセル間のモビリティをトリガする。
【００４２】
[0055]  またさらなる態様では、ＲＡＮは、チャネル品質が第１のダウンリンクキャリアおよび第２のダウンリンクキャリアのいずれか一方の閾値を下回ることに応答して、サービングセル間のモビリティをトリガする。
【００４３】
[0056]  一態様では、第１のサービングセルは、第１のサービングセクタを備え、第２のサービングセルは、第２のサービングセクタを備える。
【００４４】
[0057]  本開示全体にわたって提示する様々な概念は、幅広い様々な電気通信システム、ネットワークアーキテクチャおよび通信規格にわたって実施され得る。例として、限定はしないが、図３に示す本開示の態様を、Ｗ−ＣＤＭＡエアインターフェースを採用するＵＭＴＳシステム３００に関して提示する。ＵＭＴＳネットワークは、コアネットワーク（ＣＮ）３０４、ＵＭＴＳ地上無線アクセスネットワーク（Terrestrial Radio Access Network）（ＵＴＲＡＮ）３０２、およびユーザ機器（ＵＥ）３１０という、３つの相互作用ドメイン（interacting domain）を含む。この例では、ＵＴＲＡＮ３０２は、電話、ビデオ、データ、メッセージング、ブロードキャストを含む様々なワイヤレスサービス、および／または他のサービスを提供する。ＵＴＲＡＮ３０２は、無線ネットワークコントローラ（ＲＮＣ）３０６などのそれぞれのＲＮＣによって各々が制御される、無線ネットワークサブシステム（ＲＮＳ）３０３などの複数のＲＮＳを含み得る。サービング無線ネットワークサブシステム（Serving Radio Network Subsystem）（ＳＲＮＳ）もまた、本明細書でＲＮＳの代わりに互換的に使用される。ここで、ＵＴＲＡＮ３０２は、本明細書に示すＲＮＣ３０６とＲＮＳ３０３とに加えて、任意の数のＲＮＣ３０６とＲＮＳ３０３とを含み得る。ＲＮＣ３０６は、特に、ＲＮＳ３０３内で無線リソースを割り当て、再構成し、解放することを担当する装置である。ＲＮＣ３０６は、任意の好適なトランスポートネットワークを使用して、直接物理接続、仮想ネットワークなど、様々なタイプのインターフェースを通してＵＴＲＡＮ３０２中の他のＲＮＣ（図示せず）と相互接続され得る。
【００４５】
[0058]  ＵＥ３１０とノードＢ３０８の間の通信は、物理（ＰＨＹ）レイヤと媒体アクセス制御（ＭＡＣ）レイヤとを含むものと見なされ得る。さらに、それぞれのノードＢ３０８を介したＵＥ３１０とＲＮＣ３０６の間の通信は、無線リソース制御（ＲＲＣ）レイヤを含むものと見なされ得る。本明細書では、ＰＨＹレイヤはレイヤ１と見なされ得、ＭＡＣレイヤはレイヤ２と見なされ得、ＲＲＣレイヤはレイヤ３と見なされ得る。以下の本明細書の情報では、参照により本明細書に組み込まれる無線リソース制御（Radio Resource Control）（ＲＲＣ）プロトコル仕様（Protocol Specification）、３ＧＰＰ  ＴＳ２５．３３１  ｖ９．１．０において紹介されている用語を利用する。
【００４６】
[0059]  ＳＲＮＳ３０３によってカバーされる地理的領域は、いくつかのセルに分割され得、無線トランシーバ装置が各セルをサービスし得る。無線トランシーバ装置は、ＵＭＴＳ適用例（UMTS applications）では一般にノードＢと呼ばれるが、当業者によって、基地局（ＢＳ）、トランシーバ基地局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または何らかの他の好適な用語でも呼ばれることがある。明確にするために、各ＳＲＮＳ３０３中に３つのノードＢ３０８が示されているが、ＳＲＮＳ３０３は、任意の数のワイヤレスノードＢを含み得る。ノードＢ３０８は、任意の数のモバイル装置にコアネットワーク（ＣＮ）３０４へのワイヤレスアクセスポイントを与える。モバイル装置の例には、セルラー電話、スマートフォン、セッション開始プロトコル（ＳＩＰ）電話、ラップトップ、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（ＭＰ３プレーヤ）、カメラ、ゲーム機、または任意の他の同様の機能デバイスがある。モバイル装置は、ＵＭＴＳ適用例では一般にユーザ機器（ＵＥ）と呼ばれるが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の好適な用語でも呼ばれることがある。ＵＭＴＳシステムでは、ＵＥ３１０は、ネットワークへのユーザの加入情報を含んでいるユニバーサル加入者識別モジュール（universal subscriber identity module）（ＵＳＩＭ）３１１をさらに含み得る。説明のために、いくつかのノードＢ３０８と通信している１つのＵＥ３１０が示されている。順方向リンクとも呼ばれるダウンリンク（ＤＬ）は、ノードＢ３０８からＵＥ３１０への通信リンクを指し、逆方向リンクとも呼ばれるアップリンク（ＵＬ）は、ＵＥ３１０からノードＢ３０８への通信リンクを指す。
【００４７】
[0060]  コアネットワーク３０４は、ＵＴＲＡＮ３０２などの１つまたは複数のアクセスネットワークとインターフェースする。図示のように、コアネットワーク３０４は、ＧＳＭコアネットワークである。ただし、当業者なら認識するように、本開示全体にわたって提示する様々な概念は、ＧＳＭネットワーク以外のタイプのコアネットワークへのアクセスをＵＥに与えるために、ＲＡＮ、または他の好適なアクセスネットワークにおいて実装され得る。
【００４８】
[0061]  コアネットワーク３０４は、回線交換（ＣＳ）ドメインと、パケット交換（ＰＳ）ドメインとを含む。回線交換要素の一部は、モバイルサービス交換センター（Mobile services Switching Centre）（ＭＳＣ）、ビジターロケーションレジスタ（ＶＬＲ）およびゲートウェイＭＳＣである。パケット交換要素は、サービングＧＰＲＳサポートノード（ＳＧＳＮ）と、ゲートウェイＧＰＲＳサポートノード（ＧＧＳＮ）とを含む。図示の例では、コアネットワーク３０４は、ＭＳＣ３１２およびＧＭＳＣ３１４とともに回線交換サービスをサポートする。いくつかの適用例では、ＧＭＳＣ３１４は、メディアゲートウェイ（ＭＧＷ）と呼ばれることがある。ＲＮＣ３０６などの１つまたは複数のＲＮＣは、ＭＳＣ３１２に接続され得る。ＭＳＣ３１２は、呼設定（call setup）、呼ルーティング（call routing）、およびＵＥモビリティ機能を制御する装置である。ＭＳＣ３１２はまた、ＵＥがＭＳＣ３１２のカバレージエリア中にいる持続時間の間の加入者関係情報を含んでいるビジターロケーションレジスタ（ＶＬＲ）を含む。ＧＭＳＣ３１４は、ＵＥが回線交換ネットワーク３１６にアクセスするために、ＭＳＣ３１２を介したゲートウェイを与える。ＧＭＳＣ３１４は、特定のユーザが加入したサービスの詳細を反映するデータなどの加入者データを含んでいるホームロケーションレジスタ（ＨＬＲ）３１５を含む。また、ＨＬＲは、加入者固有の認証データを含んでいる認証センター（ＡｕＣ）に関連付けられる。特定のＵＥのための呼（call）が受信されると、ＧＭＳＣ３１４は、ＨＬＲ３１５に問い合わせてＵＥのロケーションを判断し、そのロケーションをサービスする特定のＭＳＣに呼をフォワーディングする。ＥＩＲ、ＨＬＲ、ＶＬＲおよびＡｕＣのような、いくつかのネットワーク要素は、回線交換ドメインとパケット交換ドメインの両方によって共有され得る。
【００４９】
[0062]  コアネットワーク３０４は、サービングＧＰＲＳサポートノード（ＳＧＳＮ）３１８およびゲートウェイＧＰＲＳサポートノード（ＧＧＳＮ）３２０とともにパケットデータサービスをもサポートする。ジェネラル・パケット無線サービス（General Packet Radio Service）を表すＧＰＲＳは、標準の回線交換データサービスで利用可能な速度よりも高い速度でパケットデータサービスを提供するように設計されている。ＧＧＳＮ３２０は、パケットベースネットワーク３２２へのＵＴＲＡＮ３０２のための接続を与える。パケットベースネットワーク３２２は、インターネット、プライベートデータネットワーク、または何らかの他の好適なパケットベースネットワークであり得る。ＧＧＳＮ３２０の主要機能は、ＵＥ３１０にパケットベースネットワーク接続性を与えることである。データパケットは、ＳＧＳＮ３１８を通ってＧＧＳＮ３２０とＵＥ３１０の間で転送され得、ＳＧＳＮ３１８は、主に、ＭＳＣ３１２が回線交換ドメインで実行するのと同じ機能をパケットベースドメインで実行する。
【００５０】
[0063]  ＵＭＴＳエアインターフェースは、スペクトラム拡散直接シーケンス符号分割多元接続（spread spectrum Direct-Sequence Code Division Multiple Access）（ＤＳ−ＣＤＭＡ）システムである。スペクトラム拡散ＤＳ−ＣＤＭＡは、チップと呼ばれる擬似ランダムビットのシーケンスによる乗算によって、ユーザデータを拡散する。ＵＭＴＳのためのＷ−ＣＤＭＡエアインターフェースは、そのような直接シーケンススペクトラム拡散技術に基づいており、さらに周波数分割複信（ＦＤＤ）を必要とする（call for）。ＦＤＤは、ノードＢ３０８とＵＥ３１０の間のアップリンク（ＵＬ）およびダウンリンク（ＤＬ）に対して異なるキャリア周波数を使用する。ＤＳ−ＣＤＭＡを利用し、時分割複信を使用する、ＵＭＴＳのための別のエアインターフェースは、ＴＤ−ＳＣＤＭＡエアインターフェースである。本明細書で説明する様々な例は、Ｗ−ＣＤＭＡエアインターフェースに言及することがあるが、基礎をなす原理は、ＴＤ−ＳＣＤＭＡエアインターフェースに等しく適用可能であることは、当業者には認識されよう。
【００５１】
[0064]  ＨＳＰＡエアインターフェースは、より高いスループットと低減されたレイテンシ（latency）とを可能にする、３Ｇ／Ｗ−ＣＤＭＡエアインターフェースへの一連の強化を含む。以前のリリースの他の変更の中でも、ＨＳＰＡは、ハイブリッド自動再送要求（hybrid automatic repeat request）（ＨＡＲＱ）と、共有チャネル送信（shared channel transmission）と、適応変調およびコーディングとを利用する。ＨＳＰＡを定義する規格には、ＨＳＤＰＡ（高速ダウンリンクパケットアクセス）、および、ＨＳＵＰＡ（拡張アップリンクまたはＥＵＬとも呼ばれる、高速アップリンクパケットアクセス（high speed uplink packet access））が含まれる。
【００５２】
[0065]  ＨＳＤＰＡは、そのトランスポートチャネルとして、高速ダウンリング共有チャネル（high-speed downlink shared channel）（ＨＳ−ＤＳＣＨ）を利用する。ＨＳ−ＤＳＣＨは、３つの物理チャネルである、高速物理ダウンリンク共有チャネル（high-speed physical downlink shared channel）（ＨＳ−ＰＤＳＣＨ）、高速共有制御チャネル（high-speed shared control channel）（ＨＳ−ＳＣＣＨ）、および、高速個別物理制御チャネル（high-speed dedicated physical control channel）（ＨＳ−ＤＰＣＣＨ）によって実装される。
【００５３】
[0066]  これらの物理チャネルの中で、ＨＳ−ＤＰＣＣＨは、対応するパケット送信の復号に成功したかどうかを示すために、ＨＡＲＱ  ＡＣＫ／ＮＡＣＫシグナリングをアップリンク上で搬送する。すなわち、ダウンリンクに関して、ＵＥ３１０は、ダウンリンク上でパケットを正しく復号したかどうかを示すために、ＨＳ−ＤＰＣＣＨ上で、ノードＢ３０８にフィードバックを提供する。
【００５４】
[0067]  ＨＳ−ＤＰＣＣＨは、変調およびコーディング方式、ならびに、プリコーディング重み選択（precoding weight selection）に関して、正しい判断を行う際にノードＢ３０８を支援するために、ＵＥ３１０からのフィードバックシグナリングをさらに含み、このフィードバックシグナリングは、ＣＱＩとＰＣＩとを含む。
【００５５】
[0068]  「ＨＳＰＡ  Ｅｖｏｌｖｅｄ」またはＨＳＰＡ＋は、ＭＩＭＯと６４−ＱＡＭとを含むＨＳＰＡ規格の発展形であり、スループット増大とより高い性能とを可能にする。すなわち、本開示の一態様では、ノードＢ３０８および／またはＵＥ３１０は、ＭＩＭＯ技術をサポートする複数のアンテナを有してもよい。ＭＩＭＯ技術の使用により、ノードＢ３０８は、空間多重化と、ビームフォーミングと、送信ダイバーシティとをサポートするために、空間領域（spatial domain）を活用する（exploit）ことが可能になる。
【００５６】
[0069]  多入力多出力（ＭＩＭＯ）は、マルチアンテナ技術、すなわち、複数の送信アンテナ（チャネルへの複数の入力）と複数の受信アンテナ（チャネルからの複数の出力）とを指すために、一般に使用される用語である。ＭＩＭＯシステムは一般に、データ伝送性能を高め、ダイバーシティ利得によりマルチパスフェージングを低減して伝送品質を上げることと、空間多重化利得によりデータスループットを増すこととを可能にする。一方、単入力多出力（ＳＩＭＯ）は一般に、単一の送信アンテナ（チャネルへの単一の入力）と複数の受信アンテナ（チャネルからの複数の出力）とを利用するシステムを指す。したがって、ＳＩＭＯシステムでは、単一のトランスポートブロックが、それぞれのキャリア上で送られる。
【００５７】
[0070]  ＵＥ３１０は、ユーザ機器１１４（図１）と同じかまたは類似したものであってもよく、方法２００と本明細書で説明するような他の態様とを実行するために、独立サービングセル受信コントローラ（independent serving cell receive controller）（ＩＳＣＲＣ）１０３（図１）を組み込むことができる。ＵＴＲＡＮ３０２は、ＲＡＮ１０２（図１）と同じかまたは類似したものであってもよく、方法２５０と本明細書で説明するような他の態様とを実行するために、独立サービングセル送信コントローラ（independent serving cell transmit controller）（ＩＳＣＴＣ）１０１（図１）を同様に組み込むことができる。
【００５８】
[0071]  図４を参照すると、ＵＴＲＡＮアーキテクチャにおけるアクセスネットワーク４００が示される。多元接続ワイヤレス通信システムは、その各々が１つまたは複数のセクタを含み得る、セル４０２、４０４および４０６を含む、複数のセルラー領域（セル）を含む。複数のセクタは、アンテナのグループによって形成でき、各アンテナは、セルの一部分におけるＵＥとの通信を担当する。たとえば、セル４０２において、アンテナグループ４１２、４１４および４１６は各々異なるセクタに対応し得る。セル４０４において、アンテナグループ４１８、４２０および４２２は各々異なるセクタに対応する。セル４０６において、アンテナグループ４２４、４２６および４２８は各々異なるセクタに対応する。セル４０２、４０４および４０６は、各セル４０２、４０４または４０６の１つまたは複数のセクタと通信し得る、ユーザ機器またはＵＥなど、いくつかのワイヤレス通信デバイスを含み得る。たとえば、ＵＥ４３０および４３２は、ノードＢ４４２と通信することができ、ＵＥ４３４および４３６は、ノードＢ４４４と通信することができ、ＵＥ４３８および４４０は、ノードＢ４４６と通信することができる。ここでは、各ノードＢ４４２、４４４、４４６は、それぞれのセル４０２、４０４および４０６内のすべてのＵＥ４３０、４３２、４３４、４３６、４３８、４４０のためのコアネットワークへのアクセスポイントを提供するように構成される。
【００５９】
[0072]  ＵＥ４３４が、セル４０４内の図示されたロケーションからセル４０６内へ移動するとき、サービングセル変更（serving cell change）（ＳＣＣ）またはハンドオーバが行われ得、サービングセル変更（ＳＣＣ）またはハンドオーバにおいて、ＵＥ４３４との通信は、ソースセルと呼ばれることがあるセル４０４から、ターゲットセルと呼ばれることがあるセル４０６へ移行する。ハンドオーバプロシージャの管理は、ＵＥ４３４で、それぞれのセルに対応するノードＢで、無線ネットワークコントローラ（ＲＮＣ）４０５で、または、ワイヤレスネットワーク内の別の好適なノードで行われ得る。たとえば、ソースセル４０４との通話中に（during a call）、または、任意の他の時間に、ＵＥ４３４は、ソースセル４０４の様々なパラメータ、ならびに、セル４０６および４０２など、近隣セルの様々なパラメータを監視してもよい。さらに、これらのパラメータの品質に応じて、ＵＥ４３４は、近隣セルのうちの１つまたは複数との通信を維持してもよい。この時間の間に、ＵＥ４３４は、アクティブセット、すなわち、ＵＥ４３４が同時に接続される複数セルのリストを維持してもよい。たとえば、ダウンリンク個別物理チャネル（downlink dedicated physical channel）ＤＰＣＨまたはフラクショナル・ダウンリンク個別物理チャネル（fractional downlink dedicated physical channel）Ｆ−ＤＰＣＨを、ＵＥ４３４に現在割り当て中であるＵＴＲＡセルは、アクティブセットを構成して（constitute）もよい。
【００６０】
[0073]  アクセスネットワーク４００によって採用される変調および多元接続方式は、展開されている特定の電気通信規格に応じて変わり得る。例として、この規格は、エボリューションデータ最適化（Evolution-Data Optimized）（ＥＶ−ＤＯ）またはウルトラ・モバイル・ブロードバンド（Ultra Mobile Broadband）（ＵＭＢ）を含み得る。ＥＶ−ＤＯおよびＵＭＢは、ＣＤＭＡ２０００規格ファミリーの一部として第３世代パートナーシップ・プロジェクト２（3rd Generation Partnership Project 2）（３ＧＰＰ２）によって公表されたエアインターフェース規格であり、ＣＤＭＡを利用して移動局にブロードバンド・インターネット・アクセスを提供する。この規格は、代替的に、広帯域ＣＤＭＡ（Ｗ−ＣＤＭＡ）、ならびにＴＤ−ＳＣＤＭＡ、ＴＤＭＡを採用する移動通信のためのグローバルシステム（Global System for Mobile Communications）（ＧＳＭ）、Ｅｖｏｌｖｅｄ  ＵＴＲＡ（Ｅ−ＵＴＲＡ）、ウルトラ・モバイル・ブロードバンド（Ultra Mobile Broadband）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを採用するＦｌａｓｈ−ＯＦＤＭなど、ＣＤＭＡの他の変形態を採用する、ユニバーサル地上無線アクセス（Universal Terrestrial Radio Access）（ＵＴＲＡ）であり得る。ＵＴＲＡ、Ｅ−ＵＴＲＡ、ＵＭＴＳ、ＬＴＥ、ＬＴＥアドバンストおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課せられる全体的な設計制約に依存することになる。
【００６１】
[0074]  ＵＥ４３２は、ユーザ機器１１４（図１）と同じかまたは類似したものであってもよく、方法２００と本明細書で説明するような他の態様とを実行するために、独立サービングセル受信コントローラ（ＩＳＣＲＣ）１０３（図１）を組み込むことができる。ノードＢ４４２は、ベースノード１０８、１１２（図１）と同じかまたは類似したものであってもよく、方法２５０と本明細書で説明するような他の態様とを実行するために、独立サービングセル送信コントローラ（ＩＳＣＴＣ）１０１（図１）を同様に組み込むことができる。
【００６２】
[0075]  図５は、ＵＥ５５０と通信しているノードＢ５１０のブロック図であり、ノードＢ５１０は、ＲＡＮ１０２（図１）であってもよく、ＵＥ５５０は、ユーザ機器１１４（図１）であってもよい。ダウンリンク通信では、送信プロセッサ５２０は、データソース５１２からデータを受信し、コントローラ／プロセッサ５４０から制御信号を受信し得る。送信プロセッサ５２０は、データおよび制御信号、ならびに、基準信号（パイロット信号）のための様々な信号処理機能を提供する。たとえば、送信プロセッサ５２０は、誤り検出のための巡回冗長検査（ＣＲＣ）コードと、前方向誤り訂正（ＦＥＣ）を可能にするためのコーディングおよびインターリービングと、２位相シフトキーイング（ＢＰＳＫ）、４位相シフトキーイング（ＱＰＳＫ）、Ｍ位相シフトキーイング（Ｍ−ＰＳＫ）、Ｍ直交振幅変調（Ｍ−ＱＡＭ）など、様々な変調方式に基づく信号コンスタレーション（signal constellations）へのマッピングと、直交可変拡散率（ＯＶＳＦ）による拡散と、一連のシンボルを生成するためのスクランブリングコードによる乗算とを提供してもよい。チャネルプロセッサ５４４からのチャネル推定値は、コントローラ／プロセッサ５４０によって、送信プロセッサ５２０のためのコーディング、変調、拡散および／またはスクランブリング方式を決定するために使用され得る。これらのチャネル推定値は、ＵＥ５５０によって送信された基準信号から、または、ＵＥ５５０からのフィードバックから導出され得る。送信プロセッサ５２０によって生成されたシンボルは、フレーム構造を作成するために、送信フレームプロセッサ５３０に供給される。送信フレームプロセッサ５３０は、これらのシンボルをコントローラ／プロセッサ５４０からの情報により多重化して、一連のフレームを生じることによって、このフレーム構造を作成する。これらのフレームは次いで、送信機５３２に供給され、送信機５３２は、アンテナ５３４を通したワイヤレス媒体上のダウンリンク送信のために、これらのフレームを増幅し、フィルタリングし、キャリア上に変調することを含む、様々な信号調整機能を提供する。アンテナ５３４は、たとえば、ビームステアリング双方向アダプティブアンテナアレイ、または、他の同様のビーム技術を含む、１つまたは複数のアンテナを含んでもよい。
【００６３】
[0076]  ＵＥ５５０で、受信機５５４は、アンテナ５５２を通してダウンリンク送信を受信し、この送信を処理して、キャリア上に変調された情報を回復する。受信機５５４によって回復された情報は、受信フレームプロセッサ５６０に供給され、受信フレームプロセッサ５６０は、各フレームを解析し（parse）、フレームからの情報をチャネルプロセッサ５９４に、データと、制御および基準信号とを受信プロセッサ５７０に供給する。受信プロセッサ５７０は次いで、ノードＢ５１０において送信プロセッサ５２０によって実行される処理の逆を実行する。より具体的には、受信プロセッサ５７０は、シンボルをデスクランブルおよび逆拡散し（despread）、次いで、変調方式に基づいて、ノードＢ５１０によって送信された、可能性が最も高い信号コンスタレーションポイントを決定する。これらの軟判定は、チャネルプロセッサ５９４によって計算されるチャネル推定値に基づき得る。軟判定は次いで、復号およびデインターリーブされて、データと、制御および基準信号とが回復される。ＣＲＣコードが次いでチェックされて、フレームの復号に成功したかどうかが判定される。復号に成功したフレームによって搬送されたデータは次いで、データシンク５７２に供給されるようになり、データシンク５７２は、ＵＥ５５０内でランする(running)アプリケーション、および／または、様々なユーザインターフェース（ディスプレイ）を表す。復号に成功したフレームによって搬送された制御信号は、コントローラ／プロセッサ５９０に供給されるようになる。受信プロセッサ５７０によってフレームの復号が失敗されるとき、コントローラ／プロセッサ５９０はまた、それらのフレームのための再送信要求をサポートするために、肯定応答（ＡＣＫ）および／または否定応答（ＮＡＣＫ）プロトコルをも使用してもよい。
【００６４】
[0077]  アップリンクでは、データソース５７８からのデータと、コントローラ／プロセッサ５９０からの制御信号とが、送信プロセッサ５８０に供給される。データソース５７８は、ＵＥ５５０内でランするアプリケーションと、様々なユーザインターフェース（キーボード）とを表し得る。ノードＢ５１０によるダウンリンク送信に関して説明した機能性と同様に、送信プロセッサ５８０は、ＣＲＣコードと、ＦＥＣを可能にするためのコーディングおよびインターリービングと、信号コンスタレーションへのマッピングと、ＯＶＳＦによる拡散と、一連のシンボルを生成するためのスクランブリングとを含む、様々な信号処理機能を提供する。ノードＢ５１０によって送信された基準信号から、または、ノードＢ５１０によって送信されたミッドアンブル（midamble）中に含まれているフィードバックから、チャネルプロセッサ５９４によって導出されたチャネル推定値は、適切なコーディング、変調、拡散および／またはスクランブリング方式を選択するために使用され得る。送信プロセッサ５８０によって生成されたシンボルは、フレーム構造を作成するために、送信フレームプロセッサ５８２に供給されるようになる。送信フレームプロセッサ５８２は、これらのシンボルをコントローラ／プロセッサ５９０からの情報により多重化して、一連のフレームを生じることによって、このフレーム構造を作成する。これらのフレームは次いで、送信機５５６に供給され、送信機５５６は、アンテナ５５２を通したワイヤレス媒体上のアップリンク送信のために、キャリア上へのフレームの増幅と、フィルタリングと、変調とを含む、様々な信号調整機能を提供する。
【００６５】
[0078]  アップリンク送信は、ＵＥ５５０における受信機機能に関して説明した方法と同様の方法で、ノードＢ５１０において処理される。受信機５３５は、アンテナ５３４を通してアップリンク送信を受信し、この送信を処理して、キャリア上に変調された情報を回復する。受信機５３５によって回復された情報は、受信フレームプロセッサ５３６に供給され、受信フレームプロセッサ５３６は、各フレームを解析し、フレームからの情報をチャネルプロセッサ５４４に、データと、制御および基準信号とを受信プロセッサ５３８に供給する。受信プロセッサ５３８は、ＵＥ５５０において送信プロセッサ５８０によって実行される処理の逆を実行する。復号に成功したフレームによって搬送されたデータおよび制御信号は次いで、データシンク５３９およびコントローラ／プロセッサにそれぞれ供給され得る。受信プロセッサによってフレームの一部の復号が失敗された場合、コントローラ／プロセッサ５４０はまた、それらのフレームのための再送信要求をサポートするために、肯定応答（ＡＣＫ）および／または否定応答（ＮＡＫ）プロトコルをも使用してもよい。
【００６６】
[0079]  コントローラ／プロセッサ５４０および５９０は、ノードＢ５１０における動作とＵＥ５５０における動作とをそれぞれ指示するために使用され得る。たとえば、コントローラ／プロセッサ５４０および５９０は、タイミング、周辺インターフェース、電圧調整、電力管理、および他の制御機能を含む、様々な機能を提供してもよい。メモリ５４２および５９２のコンピュータ可読媒体は、ノードＢ５１０およびＵＥ５５０のためのデータとソフトウェアとをそれぞれ記憶し得る。ノードＢ５１０におけるスケジューラ／プロセッサ５４６は、リソースをＵＥに割り振る（allocate）ため、かつ、ＵＥのためにダウンリンクおよび／またはアップリンク送信をスケジュールするために使用され得る。
【００６７】
[0080]  ＵＥ５５０は、ユーザ機器１１４（図１）と同じかまたは類似したものであってもよく、方法２００と本明細書で説明するような他の態様とを実行するために、独立サービングセル受信コントローラ（ＩＳＣＲＣ）１０３（図１）を組み込むことができる。ノードＢ５１０は、ベースノード１０８、１１２（図１）と同じかまたは類似したものであってもよく、方法２５０と本明細書で説明するような他の態様とを実行するために、独立サービングセル送信コントローラ（ＩＳＣＴＣ）１０１（図１）を同様に組み込むことができる。
【００６８】
[0081]  図６は、ＲＡＮ１０２（図１）またはユーザ機器１１４（図１）のためなど、処理システム６０２を採用する装置６００のためのハードウェア実装形態の一例を示す概念図である。この例では、処理システム６０２は、バス６０４によって概略的に表されるバスアーキテクチャを用いて実装され得る。バス６０４は、処理システム６０２の特定の適用例および全体的な設計制約に応じて、任意の数の相互接続バスおよびブリッジを含み得る。バス６０４は、プロセッサ６０６によって概略的に表される１つまたは複数のプロセッサと、コンピュータ可読媒体６０８によって概略的に表されるコンピュータ可読媒体とを含む様々な回路を互いにリンクする。バス６０４はまた、タイミングソース、周辺機器、電圧調整器、および電力管理回路など、様々な他の回路をリンクし得るが、これらの回路は当技術分野においてよく知られており、したがって、これ以上説明しない。バスインターフェース６１０は、バス６０４とトランシーバ６１２の間のインターフェースを与える。トランシーバ６１２は、伝送媒体上で様々な他の装置と通信するための手段を与える。装置の性質に応じて、キーパッド、ディスプレイ、スピーカ、マイクロホン、ジョイスティックなど、ユーザインターフェース６１４も与えられ得る。
【００６９】
[0082]  プロセッサ６０６は、バス６０４を管理することと、コンピュータ可読媒体６０８に記憶されたソフトウェアの実行を含む一般的な処理とを担当する。このソフトウェアは、プロセッサ６０６によって実行されたとき、処理システム６０２に、特定の装置のための以下で説明する様々な機能を実行させる。コンピュータ可読媒体６０８はまた、ソフトウェアを実行するときにプロセッサ６０６によって操作されるデータを記憶するために使用され得る。
【００７０】
[0083]  コンピュータ可読媒体６０８は、方法２００と、ユーザ機器１１４（図１）について本明細書で説明するような他の態様とを実行するために、独立サービングセル受信コントローラ（ＩＳＣＲＣ）１０３（図１）を備えてもよい。代替的に、コンピュータ可読媒体６０８は、方法２５０と、ＲＡＮ１０２について本明細書で説明するような他の態様とを実行するために、独立サービングセル送信コントローラ（ＩＳＣＴＣ）１０１（図１）を備えてもよい。
【００７１】
[0084]  シングルキャリア変調と周波数領域等化（frequency domain equalization）とを利用するシングルキャリア周波数分割多元接続（ＳＣ−ＦＤＭＡ）は、ＯＦＤＭＡを基礎とするワイヤレス技法である。ＳＣ−ＦＤＭＡは、ＯＦＤＭＡシステムと同様の性能と、本質的に同じ全体的な複雑さとを有する。ただし、ＳＣ−ＦＤＭＡ信号は、その特有のシングルキャリア構造のためにより低いピーク対平均電力比（peak-to-average power ratio）（ＰＡＰＲ）という利点を有する。ＳＣ−ＦＤＭＡは特に、より低いＰＡＰＲが送信電力効率の点でモバイル端末に大幅な利益を与えるアップリンク通信において大きい注目を引いている。それは現在、３ＧＰＰ  ロング・ターム・エボリューション（Long Term Evolution）（ＬＴＥ）、またはＥｖｏｌｖｅｄ  ＵＴＲＡにおけるアップリンク多元接続方式に関する実用的な前提である。
【００７２】
[0085]  図７は、単一のセクタ内で単一のサービングセルから複数のキャリア上で所与のレガシーＵＥ７０２へデータを送信する方法７００を示し、無線アクセスネットワーク（ＲＡＮ）７０４は、レガシーＵＥ７０２へ、複数のセルまたはセクタから独立してデータを送信することが可能である。図７を参照すると、ＲＡＮ７０４は、レガシーＵＥ７０２が単一のサービングセルからデータを受信することに制限されることを、決定する（ブロック７１０）。レガシーＵＥ７０２は、ＲＡＮ７０４のセクタ１を、そのサービングセクタとして確立する（ブロック７１２）。たとえば、サービングセクタを確立することは、ＵＥがセクタ１のパイロット信号を監視および測定し、次いで、セクタ１上に正常にキャンピングする（camping）ことを含み得る。セクタ１がレガシーＵＥ７０２のためのサービングセクタとして確立された後、セクタ１は、キャリアＦ１のアップリンク（ＵＬ＿Ｆ１）をレガシーＵＥ７０２に割り振り、また、その上でセクタ１からモバイル着信データ（mobile-terminated data）を受信するためのキャリア（または周波数）Ｆ１のダウンリンク（ＤＬ＿Ｆ１）と、また、キャリアＦ２のダウンリンク（ＤＬ＿Ｆ２）とを監視するように、レガシーＵＥ７０２に命令すると仮定する（ブロック７１４）。一例では、アップリンクキャリアＵＬ＿Ｆ１は、セクタ１からレガシーＵＥ７０２へのダウンリンク送信電力およびデータレートを調整するために使用され得る、フィードバックを報告するために、レガシーＵＥ７０２によって使用され得る。さらなる一例では、ダウンリンクキャリアＤＬ＿Ｆ１およびＤＬ＿Ｆ２は、リリース７におけるＭＩＭＯ  物理レイヤ（Physical Layer）、ならびに、リリース８および／または９におけるＤＣ−ＨＳＤＰＡもしくはデュアルキャリア（Dual-Carrier）  ＤＣ−ＨＳＤＰＡに従って、レガシーＵＥ７０２と通信するために使用される、異なる周波数に対応し得る。ダウンリンクキャリアＤＬ＿Ｆ１およびＤＬ＿Ｆ２は、セクタ１によって異なるキャリア上で異なる周波数で送信されるそれぞれのＨＳ−ＤＳＣＨを、それぞれ含み得る。また、アップリンクキャリアＵＬ＿Ｆ１もまた、それによってレガシーＵＥ７０２がフィードバックをセクタ１に提供することができる、高速個別物理制御キャリア（ＨＳ−ＤＰＣＣＨ）を含み得る。
【００７３】
[0086]  ＲＡＮ７０４のセクタ１は、ダウンリンクキャリアＤＬ＿Ｆ１およびＤＬ＿Ｆ２上でレガシーＵＥ７０２への送信を開始し、レガシーＵＥ７０２は、これらのダウンリンク送信に同調され、これらのダウンリンク送信を受信すると仮定され得る（ブロック７１６）。ブロック７１８で、レガシーＵＥ７０２は、そのアクティブセット内の各セクタの、および／または、レガシーＵＥ７０２のアクティブセット内にまだないセルを識別するためにローカルセルもしくはセクタからの、ダウンリンクパイロット信号を監視する。図７に明示的に図示されていないが、レガシーＵＥ７０２はまた、逆方向リンク物理レイヤチャネル（ＨＳ−ＤＰＣＣＨ）上で送信され得る、物理レイヤ（チャネル品質インジケータ（ＣＱＩ）および／またはＨ−ＡＲＱ情報）を提供するために、ＤＬ＿Ｆ１およびＤＬ＿Ｆ２上のダウンリンクデータ送信を監視および測定することもできる。諒解されるように、レガシーＵＥ７０２によって行われる測定は、レガシーＵＥ７０２のアクティブセットの変更を生じ得る、モビリティイベントを生じ得る。
【００７４】
[0087]  ブロック７１８で、ある時間期間中にダウンリンクパイロット信号を監視した後、レガシーＵＥ７０２は、チャネルフィードバックを、アップリンクキャリアＵＬ＿Ｆ１上で、セクタ１へ送る（ブロック７２０）。たとえば、チャネルフィードバックは、監視されたダウンリンクパイロット信号の各々の平均信号強度、および／または、監視されたダウンリンクパイロット信号の各々の平均パイロット信号対干渉比（Signal-to-Interference Ratio）（ＳＩＲ）のうち１つまたは複数を含み得る。チャネルフィードバックは、ＲＡＮ７０４におけるサービングＲＮＣへ転送され得、ＲＡＮ７０４におけるサービングＲＮＣは、このチャネルフィードバックを使用して、アクティブセットへの変更を含むモビリティ管理を実行する。チャネルフィードバックは、無線リソース制御（ＲＲＣ）メッセージ内で送られ得、これらのメッセージは、物理レイヤによってデータとして扱われる。ＲＡＮ７０４のセクタ１は、ＨＳ−ＤＰＣＣＨフィードバックを、レガシーＵＥ７０２からアップリンクキャリアＵＬ＿Ｆ１上で受信し、このチャネルフィードバックをサービングＲＮＣへ転送し、必要な場合、サービングＲＮＣは、このフィードバックに基づいて、レガシーＵＥ７０２のアクティブセットを更新する（ブロック７２２）。
【００７５】
[0088]  図８は、図７のレガシーＵＥ７０２とＲＡＮ７０４のセクタ１との間で確立される接続を示す、ワイヤレス通信システム８００を示す。したがって、図８は、セクタ１からレガシーＵＥ７０２への２つのダウンリンクキャリア、ＤＬ＿Ｆ１とＤＬ＿Ｆ２とを示し、図８はまた、レガシーＵＥ７０２からＲＡＮ７０４のセクタ１へのアップリンクキャリアＵＬ＿Ｆ１をも示す。
【００７６】
[0089]  単一のサービングセクタ内で複数の周波数帯域上でターゲットＵＥと通信することは、単一のサービングセクタの単一の周波数帯域上で同じＵＥと通信することと比較して、スループットを向上させることができるが、本発明の態様は、複数のサービングセクタと少なくとも１つのターゲットＵＥの間の通信を介して、スループットをさらに向上させることを対象とする。以下で説明する態様では、ターゲットＵＥに、図９Ａのように、複数のサービングセクタ上のそのキャリア（集合的に単一の「キャリアグループ」を形成する）の各々のための物理レイヤフィードバック（ＣＱＩおよびＨ＿ＡＲＱ情報など、ＨＳ−ＤＰＣＣＨフィードバック）をその上で送るための、単一のアップリンクキャリア（ＵＬ＿Ｆ１またはＵＬ＿Ｆ２）を割り振ることができ、または、代替的に、図９Ｂのように、異なるセクタ間で分散され（distributed）得る、そのキャリアの異なる「グループ」のための物理レイヤフィードバックをその上で送るための、複数のアップリンクキャリア（ＵＬ＿Ｆ１およびＵＬ＿Ｆ２）を割り振ることができる。また、ＵＥ９０２の近くのセクタからのローカルダウンリンクパイロット信号の、測定された平均信号強度および平均パイロットＳＩＲなど、チャネルフィードバックが、使用可能なアップリンクキャリアのいずれかで送られ得るＲＲＣメッセージ内で送られ得る。
【００７７】
[0090]  図９Ａは、本発明の一態様による、複数のサービングセクタを介して所与のＵＥへデータを送信する方法９００を示す。図９Ａを参照すると、ＲＮＣ９０３およびＵＥ９０２は、ＲＡＮ９０４のセクタ１  ９０６をサービングセクタとして確立する（ブロック９５０）。たとえば、セクタ１  ９０６を確立することは、ＵＥ９０２がセクタ１  ９０６のパイロット信号を監視および測定し、次いで、セクタ１  ９０６上に正常にキャンピングすることを含み得る。セクタ１  ９０６が、ＵＥのためのサービングセクタとして確立された後、セクタ１  ９０６は、アップリンクキャリア（ＵＬ＿Ｆ１）をＵＥ９０２に割り振り、また、その上でセクタ１  ９０６からモバイル着信データを受信するための１つまたは複数のダウンリンクキャリア（または周波数）ＤＬ＿Ｆ１とＤＬ＿Ｆ２とを監視するように、ＵＥ９０２に命令すると仮定する（ブロック９１６）。図１０Ａから図１０Ｇの例示的な実装例に関して以下でより詳細に説明するように、セクタ１  ９０６は、単一のダウンリンクキャリア（ＤＬ＿Ｆ１またはＤＬ＿Ｆ２であるが、両方ではない）上でＵＥ９０２と通信することができるか、または、代替的に、同時に両方のキャリア（ＤＬ＿Ｆ１およびＤＬ＿Ｆ２）上でＵＥ９０２と通信することができる。
【００７８】
[0091]  一例では、アップリンクキャリアＵＬ＿Ｆ１は、ＵＥのためのアクティブセット（複数可）を維持するためにサービングＲＮＣによって使用され得る、チャネルフィードバックを報告するために、ＵＥ９０２によって使用され得る。たとえば、それによりアクティブセットがＵＬ＿Ｆ１によって制御される、ローカルセルまたはセクタに関連付けられた測定信号強度および／またはＳＩＲが、更新され得る。さらなる一例では、ダウンリンクキャリアＤＬ＿Ｆ１およびＤＬ＿Ｆ２は、リリース７におけるＭＩＭＯ  物理レイヤ（Physical Layer）、ならびに、リリース８および／または９におけるＤＣ−ＨＳＤＰＡもしくはデュアルキャリア（Dual-Carrier）  ＤＣ−ＨＳＤＰＡに従って、ＵＥ９０２と通信するために使用される、異なる周波数に対応し得る。ダウンリンクキャリアＤＬ＿Ｆ１およびＤＬ＿Ｆ２は、セクタ１  ９０６によって異なる周波数で送信される、２つのＨＳ−ＤＳＣＨを含み得る。また、アップリンクキャリアＵＬ＿Ｆ１も、高速個別物理制御チャネル（ＨＳ−ＤＰＣＣＨ）を含み得る。
【００７９】
[0092]  図９Ａを参照すると、セクタ１  ９０６は、ダウンリンクキャリアＤＬ＿Ｆ１およびＤＬ＿Ｆ２上でＵＥへの送信を開始する（ブロック９１４）。ＵＥ９０２は、そのアクティブセット内の各セクタの、および／または、ＵＥのアクティブセット内にまだないセルを識別するためにローカルセルもしくはセクタからの、ダウンリンクパイロット信号を監視する（ブロック９１６）。諒解されるように、ＵＥ９０２によって行われる測定は、ネットワークに報告されるとき、サービングＲＮＣ９０３にＵＥ９０２のアクティブセットを変更させ得る、モビリティイベントを生じ得る。たとえば、ブロック９１６で、圧縮モード（ＣＭ）動作ありおよびなしで、ＵＥ９０２によって行われる測定は、Ｒｅｌ．８、Ｒｅｌ．９およびＲｅｌ．１０と同様にして構成され得る。ブロック９１６で、ある時間期間中にダウンリンクパイロット信号を監視した後、ＵＥ９０２は、チャネルフィードバックを、アップリンクキャリアＵＬ＿Ｆ１上で、セクタ１  ９０６へ送る（ブロック９１８）。たとえば、チャネルフィードバックは、ブロック９１６でＵＥ９０２によって取られる測定値に基づく、監視されたダウンリンクパイロット信号の各々の平均信号強度、および／または、監視されたダウンリンクパイロット信号の各々の平均パイロットＳＩＲを含み得る。ＲＡＮ９０４のセクタ１  ９０６は、チャネルフィードバックを、ＵＥ９０２からアップリンクキャリアＵＬ＿Ｆ１上で受信し、モビリティをサービングＲＮＣへ転送し、必要な場合、サービングＲＮＣ９０３は、チャネルフィードバックに基づいて、ＵＥ９０２のためのアクティブセット（複数可）を更新する（ブロック９２０）。
【００８０】
[0093]  図９Ａに明示的に図示されていないが、ＵＥ９０２はまた、物理レイヤフィードバック（チャネル品質インジケータ（ＣＱＩ）および／またはＨ−ＡＲＱ情報）を提供するために、セクタ１  ９０６からのＤＬ＿Ｆ１および／またはＤＬ＿Ｆ２上のダウンリンクデータ送信を監視および測定することもでき、この物理レイヤフィードバックは、ＵＬ＿Ｆ１の逆方向リンク物理レイヤチャネル（ＨＳ−ＤＰＣＣＨ）上でセクタ１  ９０６へ送信され得、次いで、セクタ１  ９０６（ＵＥのアクティブセット内にある）によって、セクタ１  ９０６からのＤＬ＿Ｆ１および／またはＤＬ＿Ｆ２上のデータレートおよび／または送信電力レベルを調整するために使用され得る。
【００８１】
[0094]  ある後の時点で、ＵＥ９０２は、その現在のサービングセクタ１  ９０６と別のセクタ（「セクタ２  ９０８」）の間のハンドオーバ領域に入ると仮定する（ブロック９２２）。当業者なら諒解するように、他のワイヤレスプロトコルにおいて使用されているように、「ソフトハンドオーバ」は、従来、ＨＳＤＰＡによってサポートされておらず、その理由は、ＨＳＤＰＡがリリース５で導入されたからである。むしろ、リリース５以上におけるＨＳＤＰＡは、ターゲットＵＥ９０２が新しいサービングセルにハンドオフする方法におけるときでも、ただ１つのサービングセルが所与の時間にターゲットＵＥ９０２へ送信中であるような、ダウンリンク側の「ハードハンドオーバ」の形式をサポートする。言い換えれば、従来は、ＨＳＤＰＡリリース５以上では、ターゲットＵＥ９０２のための複数のセルによるカバレージの重複期間がない。
【００８２】
[0095]  図９Ａの態様に戻ると、ブロック９２４で、セクタ１および２  ９０６、９０８の両方をＵＥ９０２のサービングセクタとして追加すると、セクタ１および２  ９０６、９０８の各々に、ＵＥ９０２への送信のために、ＲＡＮ９０４のサービングＲＮＣ９０３からの、異なるモバイル着信データが供給され得る。アップリンクの観点からすると、セクタ１および２  ９０６、９０８は（ならびに、ＵＥ９０２のアクティブセット内の他のいかなるセクタも）、それらのそれぞれのキャリア（ＵＬ＿Ｆ１および／またはＵＬ＿Ｆ２）上のＵＥ送信について監視中となる。例示的なバージョンでは、セクタ２  ９０８が、ＵＥ９０２のアクティブセット内のセクタ２  ９０８の存在に部分的に基づいて、ＵＥ９０２のためのサービングセルまたはセクタとして選択される。諒解されるように、一例では、アクティブセットは、アップリンク電力制御およびスケジューリング許可計算（scheduling grant calculation）に密接に関連しており、アクティブセットの数は、ＵＥに割り振られたアップリンクキャリアの数以下でなければならない。したがって、一例として、すべてのダウンリンクキャリアにわたるサービングセルの最大数は、アップリンクキャリアの数以下である。
【００８３】
[0096]  したがって、セクタ２  ９０８が、ＵＥのための第２のサービングセクタとして確立された後、セクタ２  ９０８は、その上でセクタ２  ９０８からモバイル着信データを受信するための１つまたは複数のダウンリンクキャリア（または周波数）ＤＬ＿Ｆ１とＤＬ＿Ｆ２とを監視するように、ＵＥ９０２に命令すると仮定する（ブロック９２６）。図１０Ａから図１０Ｇの例示的な実装例に関して以下でより詳細に説明するように、セクタ２  ９０８は、単一のダウンリンクキャリア（ＤＬ＿Ｆ１またはＤＬ＿Ｆ２であるが、両方ではない）上でＵＥ９０２と通信することができるか、または、代替的に、同時に両方のキャリア（ＤＬ＿Ｆ１およびＤＬ＿Ｆ２）上でＵＥ９０２と通信することができる。諒解されるように、セクタ１および２  ９０６、９０８による送信のために転送されるモバイル着信データは、同じである必要はなく、データの量もまた、同じである必要はない。むしろ、セクタ１および２  ９０６、９０８を制御するサービングＲＮＣは、適切な方法で、セクタ１および２  ９０６、９０８の間で、ならびに、また、セクタ１および２  ９０６、９０８の中のＤＬ＿Ｆ１および／またはＤＬ＿Ｆ２の間でも、ＵＥ９０２への送信のためにデータを分散させる（distribute）ために、負荷分散に関与することができる。これは、サービングＲＮＣ９０３が、以下でより詳細に論じるように、異なるセクタならびに異なるキャリアへの現在の負荷、ならびに、特定のキャリアについて、どのセクタが「プライマリ」であり、どのセクタが「セカンダリ」であるかなど、他の要因を考慮することを含み得る。
【００８４】
[0097]  図９Ａを参照すると、セクタ２  ９０８は、ダウンリンクキャリアＤＬ＿Ｆ１および／またはＤＬ＿Ｆ２上でＵＥへの送信を開始し（ブロック９２８）、セクタ１  ９０６は、ダウンリンクキャリアＤＬ＿Ｆ１および／またはＤＬ＿Ｆ２上でＵＥへ送信し続ける（ブロック９３０）。ブロック９２８および９３０で、ＵＥ９０２は、これらのダウンリンク送信に同調され、これらのダウンリンク送信を受信すると仮定され得る。
【００８５】
[0098]  ブロック９３２で、ＵＥ９０２は、そのアクティブセット内の各セクタの、および／または、ＵＥのアクティブセット内にまだないセルを識別するためにローカルセルもしくはセクタからの、ダウンリンクパイロット信号を監視する。諒解されるように、ＵＥ９０２によって行われる測定は、サービングＲＮＣへ転送されるとき、サービングＲＮＣにＵＥのアクティブセットを変更させ得る、モビリティイベントを生じ得る。たとえば、ブロック９３２で、圧縮モード（ＣＭ）ありおよびなしで、ＵＥ９０２によって行われる測定は、Ｒｅｌ．８、Ｒｅｌ．９およびＲｅｌ．１０と同様にして構成され得る。ブロック９３２で、ある時間期間中にダウンリンクパイロット信号を監視した後、ＵＥ９０２は、チャネルフィードバックを、アップリンクキャリアＵＬ＿Ｆ１上で送る（ブロック９３４）。たとえば、チャネルフィードバックは、ブロック９３２でＵＥ９０２によって取られる測定値に基づく、監視されたダウンリンクパイロット信号の各々の平均信号強度、および／または、監視されたダウンリンクパイロット信号の各々の平均パイロットＳＩＲを含み得る。図９Ａの態様では、ＲＡＮ９０４のセクタ１および２  ９０６、９０８は、ＵＥ９０２からアップリンクキャリアＵＬ＿Ｆ１上でチャネルフィードバックを受信すると仮定され得る。たとえば、セクタ１および２  ９０６、９０８は、それぞれＵＬ＿Ｆ１のアクティブセット内にあり得、このことは、セクタ１および２  ９０６、９０８がＵＬ＿Ｆ１上のＵＥ９０２からのアップリンク送信についてアクティブに監視中であることを意味する。このようにして、ブロック９３４で、ＵＥ９０２がＵＬ＿Ｆ１上で送信するとき、セクタ１および２  ９０６、９０８の両方が、その送信を受信する。この時点で、セクタ１および２  ９０６、９０８の各々は、チャネルフィードバックをサービングＲＮＣ９０３へ転送し、必要な場合、サービングＲＮＣ９０３は、このチャネルフィードバックに基づいて、ＵＥ９０２のためのアクティブセット（複数可）を更新する（ブロック９３６、９３８）。
【００８６】
[0099]  図９Ａに明示的に図示されていないが、ＵＥ９０２はまた、チャネル品質インジケータ（ＣＱＩ）および／またはＨ−ＡＲＱ情報など、物理レイヤフィードバックを提供するために、セクタ１および２  ９０６、９０８からのＤＬ＿Ｆ１および／またはＤＬ＿Ｆ２上のダウンリンクデータ送信を監視および測定することもでき、この物理レイヤフィードバックは、ＵＬ＿Ｆ１の、ＨＳ−ＤＰＣＣＨなど、逆方向リンク物理レイヤチャネル上でセクタ１および２  ９０６、９０８へ送信され得、次いで、セクタ１および２  ９０６、９０８によって、それぞれのセクタからのＤＬ＿Ｆ１および／またはＤＬ＿Ｆ２上のデータレートおよび／または送信電力レベルを調整するために使用され得る。
【００８７】
[00100]  上記で説明した図９Ａの態様では、ＵＥ９０２には、その上で物理レイヤフィードバックをサービングセクタ１および２  ９０６、９０８へ送るための、単一のアップリンクキャリアＵＬ＿Ｆ１が割り振られる。したがって、電力制御に関して、セクタ１および２  ９０６、９０８からのダウンリンクキャリアＤＬ＿Ｆ１および／またはＤＬ＿Ｆ２は、各セクタからの各キャリアが、単一のアップリンクキャリアＵＬ＿Ｆ１（すなわち、「アンカー」キャリア）からの物理レイヤフィードバックに基づいて制御されるという意味で、同じ「キャリアグループ」の一部である。次に説明する図９Ｂの態様では、ＵＥ９０２には、その上でフィードバックを提供するための、複数のアップリンクキャリアが割り振られる。このバージョンでは、異なるキャリアグループが、ＵＥに割り当てられた各アップリンクキャリアに関連付けられ得る。
【００８８】
[00101]  図９Ｂは、本発明の一態様による、複数のサービングセクタを介してＵＥ９０２へデータを送信する別の方法を示す。図９Ｂを参照すると、ブロック９１０〜９２４は、図９Ａについて説明したとおりであり、したがって、簡潔のためにさらに説明しない。
【００８９】
[00102]  図９Ｂを参照すると、ブロック９２４で、セクタ２  ９０８を追加のサービングセクタとして追加した後、図９Ａのブロック９２６に類似するブロック９４０で、セクタ２  ９０８は、その上でセクタ２  ９０８からモバイル着信データを受信するための１つまたは複数のダウンリンクキャリア（または周波数）ＤＬ＿Ｆ１とＤＬ＿Ｆ２とを監視するように、ＵＥ９０２に命令する。ただし、図９Ａとは異なり、セクタ２  ９０８はまた、ブロック９４０で、第２のアップリンクキャリア（ＵＬ＿Ｆ２）をもＵＥ９０２に割り振る。
【００９０】
[00103]  図９Ｂを参照すると、セクタ２  ９０８は、ダウンリンクキャリアＤＬ＿Ｆ１および／またはＤＬ＿Ｆ２上でＵＥへの送信を開始し（ブロック９４２）、セクタ１  ９０６は、ダウンリンクキャリアＤＬ＿Ｆ１および／またはＤＬ＿Ｆ２上でＵＥへ送信し続ける（ブロック９４４）。ブロック９４２および９４４で、ＵＥ９０２は、これらのダウンリンク送信に同調され、これらのダウンリンク送信を受信する。ブロック９４６で、ＵＥ９０２は、そのアクティブセット内の各セクタの、および／または、ＵＥ９０２のアクティブセット内にまだないセルを識別するためにローカルセルもしくはセクタからの、ダウンリンクパイロット信号を監視する。諒解されるように、ＵＥ９０２によって行われる測定は、サービングＲＮＣ９０３へ転送されるとき、サービングＲＮＣ９０３にＵＥ９０２のアクティブセットを変更させ得る、モビリティイベントを生じ得る。たとえば、ブロック９４６で、圧縮モード（ＣＭ）ありおよびなしで、ＵＥ９０２によって行われる測定は、Ｒｅｌ．８、Ｒｅｌ．９およびＲｅｌ．１０と同様にして構成され得る。
【００９１】
[00104]  上記で簡単に説明したように、アップリンクキャリアＵＬ＿Ｆ１およびＵＬ＿Ｆ２の各々は、それ自体のアクティブセットとそれ自体のキャリアグループとに関連付けられ得、それぞれのキャリアグループは、そのダウンリンク送信電力および／またはデータレートがアップリンクキャリアＵＬ＿Ｆ１またはＵＬ＿Ｆ２のうち１つから提供された物理レイヤフィードバックに部分的に基づいて制御される、セクタのセットに対応する。図９Ｂの場合のように、２つ以上のアップリンクキャリアがあるとき、それぞれのキャリアグループは、同じキャリアグループ内のキャリアが同様のカバレージエリアを有するように、ネットワークによって（すなわち、セクタ１および２  ９０６、９０８を制御するネットワークのサービングＲＮＣ９０３によって）構成される。たとえば、同じサービングセクタによってサポートされるキャリアは、集合的にキャリアグループの一部を形成することができる。図９Ｂでは、ＤＣ  ＨＳＵＰＡ内の２つのアップリンクキャリアＵＬ＿Ｆ１およびＵＬ＿Ｆ２はそれぞれ、それら自体のアクティブセットを有するものとするため、（アンカーキャリアがアップリンク上で使用されない限り）２つのキャリアグループがある。
【００９２】
[00105]  一例では、２つのアップリンクキャリアＵＬ＿Ｆ１およびＵＬ＿Ｆ２の各々は、（データレートおよび／または送信電力の変更に関して）それらのそれぞれのキャリアグループを独立して制御することができる。代替的に、アップリンクキャリアのうち一方は、「アンカー」キャリアを含み得、他方のアップリンクキャリアは、少なくとも、セカンダリアップリンクキャリアと対にされるキャリアを含む。他の「不対（unpaired）」ダウンリンクキャリアは、２つのキャリアグループのいずれかに入れられ得る。このグルーピングは、同じキャリアグループ内のキャリアが同様のハンドオーバ境界を有するような方法で、実施され得る。
【００９３】
[00106]  ブロック９４６で、ＵＥ９０２によって行われるダウンリンクパイロット信号の測定は、「モビリティイベント」をトリガし得る。モビリティに関して、アンカーキャリアバージョンでは、各モビリティイベント（または、ソフトハンドオーバ、新しいかまたは異なるサービングセルへの移行、古いサービングセルのドロッピング（dropping）など、潜在的なアクティブセット変更の各トリガ）は、アンカーキャリア（ＵＬ＿Ｆ１）に基づくことが可能である。この場合、セカンダリアップリンクキャリア（ＵＬ＿Ｆ２）は、「未使用」として扱われ、イベント２ｘが、測定のために使用されることになる。圧縮モード（ＣＭ）なしにセカンダリアップリンクキャリアを測定するためのＵＥ９０２の能力は、この周波数上で新しいセルを識別するために有利であり得る。一例として、ＵＬ＿Ｆ１がアップリンクアンカーキャリアであると仮定すると、ＵＥ９０２がセクタ１  ９０６からセクタ２  ９０８へ移動するとき、セクタ１  ９０６上のＤＬ＿Ｆ１からのサービスは、セクタ１  ９０６のＤＬ＿Ｆ２がＵＬ＿Ｆ２のアクティブセットに追加されるときにのみ、追加され得る。新しいモビリティイベントもまた、ＵＬ＿Ｆ１がアンカーキャリアである間に、ＤＬ＿Ｆ２強度を報告するように、ＵＥ９０２に促し得る。
【００９４】
[00107]  代替バージョンでは、アンカー周波数上のみのセルのチャネル品質に基づいて、ＵＥ９０２からの報告をトリガするのではなく、報告はまた、他の非アンカー（non-anchor）周波数上で測定されたチャネル品質に基づいて、ＵＥ９０２からトリガされ得るものであり、ネットワーク内の不均等な負荷の助けになり得る。
【００９５】
[00108]  別の代替バージョンでは、モビリティイベント管理は、単一のアンカーキャリアによってではなく、キャリアグループごとの単位によって実施され得る。上述のように、アクティブセットは、キャリアグループごとに維持される。一例では、ＵＥが２つの独立したアクティブセット（各キャリアグループに１つずつ）を維持し、両方のキャリアグループの探索は、ＣＭなしに行われ得ると仮定する。この場合、ＵＥ９０２がセクタ２  ９０８から離れてセクタ１  ９０６のほうへ移動中であるとき、セクタ１  ９０６からのＤＬ＿Ｆ１上のサービスは、セクタ１  ９０６上のＤＬ＿Ｆ２がＵＬ＿Ｆ２のアクティブセットに追加されるときではなく、セクタ１  ９０６上のＤＬ＿Ｆ１がＵＬ＿Ｆ１上のアクティブセットに追加されるとき、追加され得る。これにより、セクタ１  ９０６からのＤＬ＿Ｆ１サービスのより大きい拡張が生じる。このオプションは、ＤＣ−ＨＳＵＰＡサポートを必要とすることがある。その上、アップリンク上の物理レイヤフィードバックチャネルの問題は、各ダウンリンクキャリア（ＤＬ＿Ｆ１、ＤＬ＿Ｆ２）のためのＨＳ−ＤＰＣＣＨが、対にされたアップリンクキャリア（ＵＬ＿Ｆ１、ＵＬ＿Ｆ２）の各々において別々に搬送され得るようにすることによって、軽減され得る。
【００９６】
[00109]  図１０Ａから図１０Ｇの例示的な実装例に関して以下でより詳細に説明するように、セクタ２  ９０８は、単一のダウンリンクキャリア（ＤＬ＿Ｆ１またはＤＬ＿Ｆ２であるが、両方ではない）上で所与のＵＥ９０２と通信することができるか、または、代替的に、同時に両方のキャリア（ＤＬ＿Ｆ１およびＤＬ＿Ｆ２）上で所与のＵＥ９０２と通信することができる。セクタ２  ９０８内のダウンリンクキャリアＤＬ＿Ｆ１およびＤＬ＿Ｆ２（存在する場合）は、所与のＵＥの異なるサービングセクタから送信されることを除いて、セクタ１  ９０６内のダウンリンクキャリアＤＬ＿Ｆ１およびＤＬ＿Ｆ２（存在する場合）と実質的に同様の方法で構成されると見なされ得る。
【００９７】
[00110]  図９Ｂに戻ると、ブロック９４６で、ある時間期間中にダウンリンクパイロット信号を監視した後、所与のＵＥ９０２は、チャネルフィードバックを、アップリンクキャリアＵＬ＿Ｆ１上でセクタ１  ９０６へ送り（ブロック９４８）、また、チャネルフィードバックを、アップリンクキャリアＵＬ＿Ｆ２上でセクタ２  ９０８へ別々に送る（ブロック９５０）。したがって、説明した図９Ｂのバージョンは、非アンカーキャリアバージョンに対応し、それにより、ＵＬ＿Ｆ１およびＵＬ＿Ｆ２のためのキャリアグループは、別々に制御される。図９Ｂには示されていないが、この手法の代替形態は、それにより、単一のアップリンクキャリア（ＵＬ＿Ｆ１またはＵＬ＿Ｆ２）を使用して、両方のキャリアグループのためのチャネルフィードバックを提供することができる（すなわち、両方のキャリアグループの測定されたパイロットが、アンカーキャリア上で送られ得る）、アンカーキャリアバージョン（以下でより詳細に説明する）である。一例では、アップリンクキャリアＵＬ＿Ｆ１は、少なくともセクタ１  ９０６内のダウンリンクキャリアＤＬ＿Ｆ１および／またはＤＬ＿Ｆ２を含む、第１のキャリアグループに関連付けられ、アップリンクキャリアＵＬ＿Ｆ２は、少なくともセクタ２  ９０８内のダウンリンクキャリアＤＬ＿Ｆ１および／またはＤＬ＿Ｆ２を含む、第２のキャリアグループに関連付けられる。さらに、ブロック９４８および９５０で送られたチャネルフィードバックは、ブロック９４６で所与のＵＥ９０２によって取られる測定値に基づく、監視されたダウンリンクパイロット信号の各々の平均信号強度、および／または、監視されたダウンリンクパイロット信号の各々の平均パイロットＳＩＲを含み得る。
【００９８】
[00111]  図９Ｂに明示的に図示されていないが、所与のＵＥ９０２はまた、チャネル品質インジケータ（ＣＱＩ）および／またはＨ−ＡＲＱ情報など、物理レイヤフィードバックを提供するために、セクタ１および２  ９０６、９０８からのＤＬ＿Ｆ１および／またはＤＬ＿Ｆ２上のダウンリンクデータ送信を監視および測定することもでき、この物理レイヤフィードバックは、ＵＬ＿Ｆ１および／またはＵＬ＿Ｆ２の逆方向リンク物理レイヤチャネル（ＨＳ−ＤＰＣＣＨ）上でセクタ１および２  ９０６、９０８へ送信され得、次いで、セクタ１および２  ９０６、９０８によって、それぞれのセクタからのＤＬ＿Ｆ１および／またはＤＬ＿Ｆ２上のデータレートおよび／または送信電力レベルを調整するために使用され得る。複数のアップリンクキャリアＵＬ＿Ｆ１およびＵＬ＿Ｆ２は、所与のＵＥ９０２が、一緒にコーディングされ、かつ、このキャリアグループに対応するアップリンクキャリア上で送られる、同じキャリアグループ内のキャリアのＨＳ−ＤＰＣＣＨ情報をコーディングすることを可能にすることができる。たとえば、ＵＥ９０２が、２つのダウンリンクキャリア（ＤＬ＿Ｆ１およびＤＬ＿Ｆ２）と、２つのアップリンクキャリア（ＵＬ＿Ｆ１およびＵＬ＿Ｆ２）とを有する場合、このオプションは、２つのダウンリンクキャリア（セクタ１および／または２内のＤＬ＿Ｆ１およびＤＬ＿Ｆ２）のためのＨＳ−ＤＰＣＣＨを、２つのアップリンクキャリア上に符号化するようになる。
【００９９】
[00112]  図９Ｂに戻ると、ＲＡＮ９０４のセクタ１  ９０６は、チャネルフィードバックを、所与のＵＥ９０２からアップリンクキャリアＵＬ＿Ｆ１上で受信し、このチャネルフィードバックをサービングＲＮＣへ転送し、必要な場合、サービングＲＮＣは、このチャネルフィードバックに基づいて、ＵＬ＿Ｆ１のための所与のＵＥ９０２のアクティブセットを調整する（ブロック９５２）。同様に、ＲＡＮ９０４のセクタ２  ９０８は、フィードバックを、所与のＵＥ９０２からアップリンクキャリアＵＬ＿Ｆ２上で受信し、このチャネルフィードバックをサービングＲＮＣへ転送し、必要な場合、サービングＲＮＣは、このフィードバックに基づいて、ＵＬ＿Ｆ２のための所与のＵＥ９０２のアクティブセットを調整する（ブロック９５４）。
【０１００】
[00113]  さらに、図９Ａおよび図９Ｂの各々は、それにより、所与のＵＥ９０２がセクタ１  ９０６を初期サービングセクタとして確立し、後で、所与のＵＥ９０２によるセクタ１および２  ９０６、９０８の間のハンドオーバゾーンまたは領域への進入時に、セクタ２  ９０８を別のサービングセクタとして追加する、シナリオを示す。代替バージョンでは、所与のＵＥ９０２は、セクタ１および２  ９０６、９０８の間のハンドオーバゾーンまたは領域内で単に起動する（power up）ことができ、その場合、セクタ１および２  ９０６、９０８の両方が、並行して、ＵＥ９０２のサービングセクタとしてセットアップされ得る。
【０１０１】
[00114]  さらに、図９Ａおよび図９Ｂにおけるセクタ１および２  ９０６、９０８に関連付けられたノードＢは、異なる送信電力能力を有することができる。たとえば、セクタ１  ９０６をサポートするノードＢは、セクタ１  ９０６を、マクロセル、マイクロセルまたはピコセルとしてサポートすることができ、その結果、セクタ２  ９０８をサポートするノードＢと比較して、異なる送信電力容量を生じ得る。そのような送信電力能力の不均衡は、それにより、異なるサービングセルを異なるキャリア上で動作可能にすることで、スループットを向上させることができる、シナリオを生じ得る。
【０１０２】
[00115]  代替バージョンでは、上述のように、アップリンクチャネルＵＬ＿Ｆ１およびＵＬ＿Ｆ２上で２つのキャリアグループのための別々のフィードバック（チャネルフィードバックまたは物理レイヤフィードバック）を送る代わりに、複数のアップリンクキャリアのうち１つが、「アンカー」アップリンクキャリアとして指定され得る。この場合、物理レイヤフィードバックに関して、各ダウンリンクキャリア（セクタ１  ９０６からのＤＬ＿Ｆ１および／またはＤＬ＿Ｆ２、セクタ２  ９０８からのＤＬ＿Ｆ１および／またはＤＬ＿Ｆ２など）のためのＨＳ−ＤＰＣＣＨ情報は、（ＤＣ  ＨＳＤＰＡのためのＲｅｌ．８、または、ＭＩＭＯによるＤＣ  ＨＳＤＰＡおよびＤＢ  ＤＣ  ＨＳＤＰＡのためのＲｅｌ．９、または、４Ｃ  ＨＳＤＰＡのためのＲｅｌ．１０の場合のように）１つのコードワードにジョイントコーディングされ（jointly coded）得、次いで、アンカーアップリンクキャリア上で送られ得る。諒解されるように、単一のアンカーキャリアが、複数のキャリアグループに代わって使用される場合、そのアンカーキャリアに関連付けられたサービングセクタは、ＵＥフィードバックを（他のサービングセクタ（複数可）へ）転送することができ、または、そのアンカーキャリアは、同時にキャリアの各々によって、たとえば、少なくとも、そのアンカーキャリアのアクティブセット内の各キャリアによって、監視され得る。
【０１０３】
[00116]  以下で、図９Ａおよび図９Ｂの処理のいくつかの実装例を、図１０Ａから図１０Ｇに関して提供する。より具体的には、図１０Ａから図１０Ｇの各々は、図９Ａから図９ＢのＵＥ９０２と、サービングセクタ１  ９０６およびセクタ２  ９０８との間で確立され得る、異なるセットの接続を示す。
【０１０４】
[00117]  図１０Ａでは、通信システム１０００ａが、図９Ａの方法の実装例に従って示され、それにより、サービングセクタ１および２  ９０６、９０８の各々は、同じ単一のダウンリンクキャリア（すなわち、ＤＬ＿Ｆ１）を介してＵＥ９０２と通信し、ＵＥ９０２には、その上でキャリアグループのためのフィードバックを提供するための、単一のアップリンクキャリア（すなわち、ＵＬ＿Ｆ１）が割り当てられる。したがって、図１０Ａの例では、第２のダウンリンクキャリアＤＬ＿Ｆ２は使用されない。諒解されるように、ダウンリンクキャリアＤＬ＿Ｆ２の省略は、サービングセクタ１および／または２がダウンリンクキャリアＤＬ＿Ｆ２をサポートできない（セクタ１および２  ９０６、９０８が、単一のキャリア周波数展開により手段となる）ことに基づくことが可能であり、または、代替的に、ダウンリンクキャリアＤＬ＿Ｆ２のための負荷レベルが閾値を上回り、ダウンリンクキャリアＤＬ＿Ｆ２上のＵＥ９０２をサポートするためのリソースが現在利用可能でないようになるという、サービングＲＮＣによる決定に基づくことが可能である。
【０１０５】
[00118]  図１０Ａを参照すると、セクタ１  ９０６は、ダウンリンクキャリアＤＬ＿Ｆ１のための「プライマリ」セクタに対応し、セクタ２  ９０８は、ダウンリンクキャリアＤＬ＿Ｆ１のための「セカンダリ」サービングセクタに対応すると仮定する。本発明の態様では、各特定のダウンリンクキャリアは、単一のプライマリサービングセクタおよび少なくとも１つのセカンダリサービングセクタによってサポートされ得る。一般に、プライマリサービングセクタは、特定のダウンリンクキャリアのためのセカンダリサービングセクタ（複数可）よりも永続的である。また、ＲＮＣは、セカンダリサービングセクタとは反対に、プライマリサービングセクタに、より多くのダウンリンクモバイル着信データを向けることができる。さらなる一例では、プライマリサービングセクタは、関連付けられたキャリアに対するより低い負荷に関連付けられ得、および／または、セカンダリサービングセクタと比較して、ＵＥ９０２へのより良い接続を有することができる。セクタ１および２  ９０６、９０８内のダウンリンクキャリアＤＬ＿Ｆ１はそれぞれ、ＵＥ９０２によって監視され得る別個のＨＳ−ＤＳＣＨを搬送する。この場合、２つの別個のトランスポートブロックは、同じキャリアまたは周波数（すなわち、ＤＬ＿Ｆ１）上で２つのＨＳ−ＤＳＣＨを介して、セクタ１および２  ９０６、９０８からＵＥ９０２へ搬送され得る。言い換えれば、異なるデータは、異なるセクタによって同じキャリア内で送信されている（すなわち、それにより、同じデータがハンドオーバ領域内で冗長的に送信される、非ＨＳＤＰＡプロトコル内のソフトハンドオーバとは対照的である）。このタイプの送信方式は、単一周波数デュアルセルＨＳＤＰＡ（Single-Frequency Dual-Cell HSDPA）（ＳＦ−ＤＣ−ＨＳＤＰＡ）と呼ばれることがある。諒解されるように、ＳＦ−ＤＣ−ＨＳＤＰＡは、システムがフルに利用される頻度が低い現実的な展開において、動的負荷分散（dynamic load balancing）を提供することができる。図１０Ａに示すように、プライマリサービングセクタ１  ９０６およびセカンダリサービングセクタ２  ９０８の各々は、アップリンクキャリアＵＬ＿Ｆ１上で送信されるＵＥ９０２からの信号を監視および受信することができる。
【０１０６】
[00119]  図１０Ｂでは、通信システム１０００ｂが、図９Ａの方法の実装例に従って示され、それにより、サービングセクタ１および２  ９０６、９０８の各々は、単一のダウンリンクキャリア（すなわち、それぞれＤＬ＿Ｆ１およびＤＬ＿Ｆ２）を介してＵＥ９０２と通信し、ＵＥ９０２には、その上でキャリアグループのためのフィードバックを提供するための、単一のアップリンクキャリア（すなわち、ＵＬ＿Ｆ１）が割り当てられる。したがって、図１０Ｂの例では、セクタ１および２  ９０６、９０８によってそれぞれ使用されるダウンリンクキャリア周波数ＤＬ＿Ｆ１およびＤＬ＿Ｆ２は、ＵＥ９０２における干渉を軽減するように、互いに直交する（orthogonal）ことが可能である。図１０Ｂを参照すると、セクタ１  ９０６内のダウンリンクキャリアＤＬ＿Ｆ１およびセクタ２  ９０８内のダウンリンクキャリアＤＬ＿Ｆ２はそれぞれ、ＵＥ９０２によって監視され得る別個のＨＳ−ＤＳＣＨを搬送すると仮定する。この場合、２つの別個のトランスポートブロックは、異なるキャリアまたは周波数（すなわち、ＤＬ＿Ｆ１およびＤＬ＿Ｆ２）上で２つのＨＳ−ＤＳＣＨを介して、セクタ１および２  ９０６、９０８からＵＥ９０２へ搬送され得る。図１０Ｂの例示的なバージョンでは、サービングセクタ１  ９０６がＤＬ＿Ｆ１を介してＵＥ９０２と通信し、サービングセクタ２  ９０８がＤＬ＿Ｆ２を介してＵＥ９０２と通信するので、サービングセクタ１および２  ９０６、９０８の両方は、セカンダリキャリアが図１０Ｂ内にないため、それらの特定のダウンリンクキャリアに関して「プライマリ」である。図１０Ｂに示すように、サービングセクタ１  ９０６およびサービングセクタ２  ９０８の各々は、サービングセクタ２  ９０８がＤＬ＿Ｆ１上で送信中でなくても、アップリンクキャリアＵＬ＿Ｆ１上で送信されるＵＥ９０２からの信号を監視および受信することができる。一例では、サービングセクタ２  ９０８は、過負荷をかけられることがあり、サービングセクタ２  ９０８がＤＬ＿Ｆ１上でダウンリンクサポートを提供できないことが生じることがあるが、なお、アンカーキャリアとしてＵＬ＿Ｆ１上で送信されるＵＥ９０２のフィードバックを復号可能であり得る。
【０１０７】
[00120]  さらに、図１０Ｂを参照すると、別の例では、セクタ１および２  ９０６、９０８の両方は、ダウンリンクキャリアＤＬ＿Ｆ１とＤＬ＿Ｆ２の両方をサポートすると仮定する。ただし、セクタ１  ９０６上のＤＬ＿Ｆ２およびセクタ２  ９０８上のＤＬ＿Ｆ１は重負荷をかけられるが、セクタ１  ９０６上のＤＬ＿Ｆ１およびセクタ２  ９０８上のＤＬ＿Ｆ２は軽負荷をかけられると、さらに仮定する。この場合、（図１０Ｂに示すように）ＤＬ＿Ｆ１上でセクタ１  ９０６から、および、ＤＬ＿Ｆ２上でセクタ２  ９０８から、ＵＥ９０２にサービスすることは、スループットが増大する結果となる。諒解されるように、それにより、異なるセクタから異なるキャリア上でＵＥ９０２にサービスすることで、ＵＥ９０２へのサービスを改善することができる、多数の異なるシナリオがある。
【０１０８】
[00121]  図１０Ｃでは、通信システム１０００ｃが、図９Ｂの方法の実装例に従って示され、それにより、サービングセクタ１および２  ９０６、９０８の各々は、単一の（かつ、異なる）ダウンリンクキャリア（すなわち、それぞれＤＬ＿Ｆ１およびＤＬ＿Ｆ２）を介してＵＥ９０２と通信し、ＵＥ９０２には、その上でそれぞれのキャリアグループ（すなわち、少なくともセクタ２  ９０８のＤＬ＿Ｆ２を含む第１のキャリアグループ、および、少なくともセクタ１  ９０６のＤＬ＿Ｆ１を含む第２のキャリアグループ）のためのフィードバックを提供するための、２つのアップリンクキャリア（すなわち、ＵＬ＿Ｆ１およびＵＬ＿Ｆ２）が割り当てられる。図１０Ｃの例は、図１０Ｃが、図１０Ｂからの単一のアップリンクキャリア（ＵＬ＿Ｆ１）の代わりに、２つのアップリンクキャリア（ＵＬ＿Ｆ１およびＵＬ＿Ｆ２）をＵＥ９０２に供給（provision）し、ＵＥ９０２のための２つの別個のキャリアグループとアクティブセットとを生じることを除いて、図１０Ｂに関して上記で説明した例と同様である。したがって、２つのアップリンクキャリア（ＵＬ＿Ｆ１およびＵＬ＿Ｆ２）は、図９Ｂに関して上記で説明したように、ＵＥ９０２が２つの別個のキャリアグループをいずれも、ＵＬ＿Ｆ１およびＵＬ＿Ｆ２を介して別々に制御することを可能にする。たとえば、アップリンクキャリアＵＬ＿Ｆ１は、少なくともセクタ１  ９０６上のダウンリンクキャリアＤＬ＿Ｆ１を含む第１のキャリアグループに関連してフィードバックを提供することができ、アップリンクキャリアＵＬ＿Ｆ２は、少なくともセクタ２  ９０８上のダウンリンクキャリアＤＬ＿Ｆ２を含む第２のキャリアグループに関連してフィードバックを提供することができる。
【０１０９】
[00122]  代替的に、図１０Ｃを参照すると、２つのアップリンクキャリアＵＬ＿Ｆ１およびＵＬ＿Ｆ２がＵＥ９０２に供給（provision）されても、両方のキャリアグループのためのフィードバックは、単一のアンカーキャリア（ＵＬ＿Ｆ１またはＵＬ＿Ｆ２）を介して提供され得る。この場合、セクタ１および２  ９０６、９０８の両方は、アンカーキャリア上のフィードバックが両方のセクタによって正しく復号されるように、アンカーキャリアのためのアクティブセット内にある。図１０Ｃのさらなる説明は、図１０Ｂに類似しているため、簡潔のために省略する。
【０１１０】
[00123]  図１０Ｃを参照すると、一例では、セクタ１  ９０６は、ダウンリンクキャリアＤＬ＿Ｆ１とＤＬ＿Ｆ２の両方をサポートするホットスポットに対応するが、セクタ２  ９０８は、ダウンリンクキャリアＤＬ＿Ｆ２のみをサポートすると仮定する。この場合、ＵＥ９０２が、セクタ１および２  ９０６、９０８の間のハンドオーバ領域内に位置し、セクタ１  ９０６よりもセクタ２  ９０８に近いとき、ＤＬ＿Ｆ１上でセクタ１  ９０６から、および、ＤＬ＿Ｆ２上でセクタ２  ９０８から、ＵＥ９０２にサービスすることによって、全体にわたってより高いものが達成され得る。したがって、ＵＥ９０２にサービスするための範囲拡大（range-extension）が、非ユニバーサル展開シナリオ（すなわち、すべてのセクタがＤＬ＿Ｆ１とＤＬ＿Ｆ２の両方をサポートするとは限らないシナリオ）において達成され得る。
【０１１１】
[00124]  諒解されるように、図１０Ａから図１０Ｃは、異なるセクタのダウンリンクキャリア（図１０Ａに記載のセクタ１  ９０６上のＤＬ＿Ｆ１およびセクタ２  ９０８上のＤＬ＿Ｆ１、または、図１０Ｂおよび図１０Ｃに記載のセクタ１  ９０６上のＤＬ＿Ｆ１およびセクタ２  ９０８上のＤＬ＿Ｆ２）上で２つの別個のトランスポートブロックを受信することを有する動作のために構成される、ＵＥ９０２を対象とする。そのようなＵＥ９０２は、ＤＣ−ＨＳＤＰＡ互換ＵＥ（compatible-UE）および／またはＳＦ−ＤＣ−ＨＳＤＰＡ互換ＵＥとして特徴づけられ得る。以下で、ＵＥ９０２は、図１０Ｄ〜図１０Ｇに関して、同時に複数のダウンリンクキャリア上で３つ以上のトランスポートブロックに同調が可能であるとして説明する。同時に複数のダウンリンクキャリア上で３つ以上のトランスポートブロックに同調が可能であるＵＥ９０２は、リリース１０における４Ｃ−ＨＳＤＰＡ互換ＵＥとして特徴づけられ得る。
【０１１２】
[00125]  図１０Ｄでは、通信システム１０００ｄが、図９Ａの方法の実装例に従って示され、それにより、サービングセクタ１  ９０６は、単一のダウンリンクキャリア（すなわち、ＤＬ＿Ｆ１）を介してＵＥ９０２と通信し、サービングセクタ２  ９０８は、複数のダウンリンクキャリア（すなわち、ＤＬ＿Ｆ１およびＤＬ＿Ｆ２）を介してＵＥ９０２と通信し、ＵＥ９０２には、その上でそれぞれのキャリアグループ（すなわち、少なくともセクタ２  ９０８のＤＬ＿Ｆ１とＤＬ＿Ｆ２とを含む第１のキャリアグループ、および、少なくともセクタ１  ９０６のＤＬ＿Ｆ１を含む第２のキャリアグループ）のためのフィードバックを提供するための、単一のアップリンクキャリア（すなわち、ＵＬ＿Ｆ１またはアンカーキャリア）が割り当てられる。したがって、図１０Ｄの例では、セクタ１および２  ９０６、９０８は、重複する（すなわち、ＤＬ＿Ｆ１）キャリアと重複しない（すなわち、ＤＬ＿Ｆ２）キャリアの両方を介して、ＵＥ９０２をサポートする。図１０Ｄの例示的なバージョンでは、サービングセクタ１  ９０６は、ＤＬ＿Ｆ１をサポートするためのプライマリセクタであり、サービングセクタ２  ９０８は、ＤＬ＿Ｆ１をサポートするためのセカンダリセクタである。さらに、セクタ２  ９０８は、図１０Ｄにおいて、ＤＬ＿Ｆ２をサポートする唯一のセクタであるので、セクタ２  ９０８は、ＤＬ＿Ｆ２をサポートするセカンダリセクタがないという意味で、ＤＬ＿Ｆ２のための「プライマリ」である。図１０Ｄを参照すると、セクタ１  ９０６内のダウンリンクキャリアＤＬ＿Ｆ１、ならびに、セクタ２  ９０８内のダウンリンクキャリアＤＬ＿Ｆ１およびＤＬ＿Ｆ２はそれぞれ、ＵＥ９０２によって監視され得る別個のＨＳ−ＤＳＣＨを搬送すると仮定する。この場合、３つの別個のトランスポートブロックは、異なるキャリアまたは周波数（すなわち、セクタ１  ９０６内のＤＬ＿Ｆ１、ならびに、セクタ２  ９０８内のＤＬ＿Ｆ１およびＤＬ＿Ｆ２）上で３つのＨＳ−ＤＳＣＨを介して、セクタ１および２  ９０６、９０８からＵＥ９０２へ搬送され得る。図１０Ｄに示すように、プライマリサービングセクタ１  ９０６およびセカンダリサービングセクタ２  ９０８の各々がＦ１をサポートするので、かつ、セクタ１および２  ９０６、９０８がそれぞれアンカーキャリアＵＬ＿Ｆ１のためのアクティブセット内にあるので、セクタ１および２  ９０６、９０８の各々は、アンカーキャリアとしてアップリンクキャリアＵＬ＿Ｆ１上で送信されるＵＥ９０２からの信号を監視および受信することができる。
【０１１３】
[00126]  図１０Ｅでは、通信システム１０００ｅが、図９Ｂの方法の実装例に従って示され、それにより、サービングセクタ１  ９０６は、単一のダウンリンクキャリア（すなわち、ＤＬ＿Ｆ１）を介してＵＥ９０２と通信し、サービングセクタ２  ９０８は、複数のダウンリンクキャリア（すなわち、ＤＬ＿Ｆ１およびＤＬ＿Ｆ２）を介してＵＥ９０２と通信し、ＵＥ９０２には、その上でキャリアグループのためのフィードバックを提供するための、２つのアップリンクキャリア（すなわち、ＵＬ＿Ｆ１およびＵＬ＿Ｆ２）が割り当てられる。図１０Ｅの例は、図１０Ｅが、図１０Ｄからの単一のアップリンクキャリア（ＵＬ＿Ｆ１）の代わりに、２つのアップリンクキャリア（ＵＬ＿Ｆ１およびＵＬ＿Ｆ２）をＵＥ９０２に供給（provision）し、ＵＥ９０２のための２つの別個のキャリアグループとアクティブセットとを生じることを除いて、図１０Ｄに関して上記で説明した例と同様である。したがって、２つのアップリンクキャリア（ＵＬ＿Ｆ１およびＵＬ＿Ｆ２）は、図９Ｂに関して上記で説明したように、ＵＥ９０２が２つの別個のキャリアグループを別々に、または、ＵＬ＿Ｆ１およびＵＬ＿Ｆ２から選択された所与のアンカーキャリアを介してのいずれかで、制御することを可能にする。たとえば、アップリンクキャリアＵＬ＿Ｆ１は、少なくともセクタ１  ９０６上のダウンリンクキャリアＤＬ＿Ｆ１を含む第１のキャリアグループに関連してフィードバックを提供することができ、アップリンクキャリアＵＬ＿Ｆ２は、少なくともセクタ２  ９０８上のダウンリンクキャリアＤＬ＿Ｆ１とＤＬ＿Ｆ２とを含む第２のキャリアグループに関連してフィードバックを提供することができる。代替的に、２つの別々のアップリンクキャリアがＵＥに割り当てられても、両方のキャリアグループのためのフィードバックは、上記で説明したように、単一のアンカーキャリア（ＵＬ＿Ｆ１またはＵＬ＿Ｆ２）を介して提供され得る。図１０Ｅのさらなる説明は、図１０Ｄに類似しているため、簡潔のために省略する。
【０１１４】
[00127]  図１０Ｆでは、通信システム１０００ｆが、図９Ａの方法の実装例に従って示され、それにより、サービングセクタ１  ９０６は、複数のダウンリンクキャリア（すなわち、ＤＬ＿Ｆ１およびＤＬ＿Ｆ２）を介してＵＥ９０２と通信し、サービングセクタ２  ９０８もまた、同じ複数のダウンリンクキャリア（すなわち、ＤＬ＿Ｆ１およびＤＬ＿Ｆ２）を介してＵＥ９０２と通信し、ＵＥ９０２には、その上でキャリアグループのためのフィードバックを提供するための、単一のアップリンクキャリア（すなわち、ＵＬ＿Ｆ１）が割り当てられる。したがって、図１０Ｆの例では、セクタ１および２  ９０６、９０８は、同じ重複するキャリア（すなわち、ＤＬ＿Ｆ１およびＤＬ＿Ｆ２）を介して、ＵＥ９０２をサポートする。図１０Ｆの例示的なバージョンでは、サービングセクタ１  ９０６は、ＤＬ＿Ｆ１のためのプライマリセクタ、および、ＤＬ＿Ｆ２のためのセカンダリセクタであり、サービングセクタ２  ９０８は、ＤＬ＿Ｆ２のためのプライマリセクタ、および、ＤＬ＿Ｆ１のためのセカンダリセクタである。図１０Ｆを参照すると、セクタ１  ９０６内のダウンリンクキャリアＤＬ＿Ｆ１およびＤＬ＿Ｆ２、ならびに、セクタ２  ９０８内のダウンリンクキャリアＤＬ＿Ｆ１およびＤＬ＿Ｆ２はそれぞれ、ＵＥ９０２によって監視され得る別個のＨＳ−ＤＳＣＨを搬送すると仮定する。この場合、４つの別個のトランスポートブロックは、異なるキャリアまたは周波数（すなわち、セクタ１  ９０６内のＤＬ＿Ｆ１およびＤＬ＿Ｆ２、ならびに、またセクタ２  ９０８内のＤＬ＿Ｆ１およびＤＬ＿Ｆ２も）上で４つのＨＳ−ＤＳＣＨを介して、セクタ１および２  ９０６、９０８からＵＥ９０２へ搬送され得る。図１０Ｆに示すように、セクタ１および２  ９０６、９０８の各々がＦ１をサポートするので、かつ、セクタ１および２  ９０６、９０８がそれぞれアンカーキャリアＵＬ＿Ｆ１のためのアクティブセット内にあるので、セクタ１および２  ９０６、９０８の各々は、（ＵＬ＿Ｆ１またはＵＬ＿Ｆ２であり得る）アップリンクアンカーキャリア上で送信されるＵＥ９０２からの信号を監視および受信することができる。
【０１１５】
[00128]  図１０Ｇでは、通信システム１０００ｇが、図９Ｂの方法の実装例に従って示され、それにより、サービングセクタ１  ９０６は、複数のダウンリンクキャリア（すなわち、ＤＬ＿Ｆ１およびＤＬ＿Ｆ２）を介してＵＥ９０２と通信し、サービングセクタ２  ９０８もまた、複数のダウンリンクキャリア（すなわち、Ｆ１およびＤＬ＿Ｆ２）を介してＵＥ９０２と通信し、ＵＥ９０２には、その上でキャリアグループのためのフィードバックを提供するための、２つのアップリンクキャリア（すなわち、ＵＬ＿Ｆ１およびＵＬ＿Ｆ２）が割り当てられる。図１０Ｇの例は、図１０Ｇが、図１０Ｆからの単一のアップリンクキャリア（ＵＬ＿Ｆ１）の代わりに、２つのアップリンクキャリア（ＵＬ＿Ｆ１およびＵＬ＿Ｆ２）をＵＥ９０２に供給（provision）し、ＵＥ９０２のための２つの別個のキャリアグループとアクティブセットとを生じることを除いて、図１０Ｆに関して上記で説明した例と同様である。したがって、２つのアップリンクキャリア（ＵＬ＿Ｆ１およびＵＬ＿Ｆ２）は、図９Ｂに関して上記で説明したように、ＵＥ９０２が、２つの別個のキャリアグループをいずれも別々に制御することを可能にする。たとえば、アップリンクキャリアＵＬ＿Ｆ１は、少なくともセクタ１  ９０６上のダウンリンクキャリアＤＬ＿Ｆ１とＤＬ＿Ｆ２とを含む第１のキャリアグループに関連してフィードバックを提供することができ、アップリンクキャリアＵＬ＿Ｆ２は、少なくともセクタ２  ９０８上のダウンリンクキャリアＤＬ＿Ｆ１とＤＬ＿Ｆ２とを含む第２のキャリアグループに関連してフィードバックを提供することができる。代替的に、両方のキャリアグループのためのフィードバックは、上記で説明したように、単一のアンカーキャリア（ＵＬ＿Ｆ１またはＵＬ＿Ｆ２）を介して提供され得る。図１０Ｇのさらなる説明は、図１０Ｆに類似しているため、簡潔のために省略する。
【０１１６】
[00129]  上記で説明した本発明の態様は、２つのセクタによってサポートされ得る２つの別個のキャリアを対象としているが、本発明の他の態様は、（ｉ）３つ以上のキャリア周波数（Ｆ３、Ｆ４など）および／または（ｉｉ）同時にＵＥ９０２をサポートする３つ以上のセクタを対象とし得ることは諒解されよう。たとえば、ＵＥ９０２が、サービスが３つの異なるセクタからから提供され得るハンドオーバ領域に入る場合、ＵＥ９０２は、その３つのセクタの各々におけるダウンリンクキャリアに関連付けられたキャリアグループ（複数可）に潜在的に同調し得る。さらに、ＵＥ９０２に割り振られた（allocated）ダウンリンクキャリア（ＤＬ＿Ｆ１、ＤＬ＿Ｆ２など）は、図１０Ａにおけるものなど、同じ周波数帯域内の隣接キャリア、非隣接キャリアであってもよく、それにより、ＤＬ＿Ｆ１は、セクタ１および２  ９０６、９０８などからのサポート、および／または、異なる周波数帯域内の非隣接キャリアである。
【０１１７】
[00130]  たとえば、２つのダウンリンクキャリアＤＬ＿Ｆ１およびＤＬ＿Ｆ２があり、その各々が２つのサービングセクタ１および２  ９０６、９０８によってサポートされると仮定する。この場合、セクタ１  ９０６は、ＤＬ＿Ｆ１のための「プライマリ」サービングセル、および、ＤＬ＿Ｆ２のためのセカンダリサービングセルになり得、セクタ２  ９０８は、ＤＬ＿Ｆ２のためのプライマリサービングセル、および、ＤＬ＿Ｆ１のためのセカンダリサービングセルになり得る。別の例では、セクタ１〜４の間で分散している、２つのダウンリンクキャリアＤＬ＿Ｆ１およびＤＬ＿Ｆ２があると仮定する。この場合、セクタ１  ９０６は、ＤＬ＿Ｆ１のためのプライマリサービングセルになり得、セクタ２  ９０８は、ＤＬ＿Ｆ１のためのセカンダリサービングセルになり得、セクタ３は、ＤＬ＿Ｆ２のためのプライマリサービングセルになり得、セクタ４は、ＤＬ＿Ｆ２のためのセカンダリサービングセルになり得る。
【０１１８】
[00131]  さらに、上記の例示的なバージョンの説明では明示的に論じないが、ＨＳ−ＤＰＣＣＨ電力オフセットは、複数のセルで復号可能となるようにブースト（boost）される必要があり得ることは諒解されよう。同様に、アップリンクパイロットＳＩＮＲセットポイントもまた、ブーストされる必要があり得る。ブースティング（boosting）の量は、キャリアグループが適切に選ばれる場合、比較的穏当であり（modest）得る。
【０１１９】
[00132]  さらに、いくつかの拡張が、性能を向上させるために上位レイヤで実施され得る。たとえば、ＵＥ９０２は、各ＨＳサービングセルに１つずつ、複数のＭＡＣ−ｅｈｓエンティティ（multiple MAC-ehs entities）を確立することができる。複数のＭＡＣ−ｅｈｓは、コロケート（co-located）可能であり、または非コロケート（non-co-located）可能であり、１つまたは複数の周波数上であってもよい。この場合、ＭＡＣ−ｅｈｓフロー間で順が狂った（out-of-order）配信が起こり得ることは諒解されよう。ＭＡＣ−ｅｈｓフロー間の順が狂った配信の問題は、ＲＬＣレイヤ変更によって、および／または、ＰＤＣＰベースの手法によって低減され得る。
【０１２０】
[00133]  図１１Ａを参照すると、示されるものは、ワイヤレス通信のための、より具体的には、２つの独立セルまたはセクタからＨＳＤＰＡにおいてデータを受信するためのシステム１１００である。たとえば、システム１１００は、ユーザ機器１１４（図１）など、無線（Over-The-Air）（ＯＴＡ）通信が可能であるユーザ機器内に、少なくとも部分的に常駐することができる。システム１１００は、複数の機能ブロックを含むものとして表されており、その機能ブロックは、コンピューティングプラットフォーム、プロセッサ、ソフトウェア、またはそれらの組合せ（たとえば、ファームウェア）によって実装される機能を表す機能ブロックであり得ることを諒解されたい。システム１１００は、連携して動作することができる電気的構成要素の論理グルーピング１１０２を含む。たとえば、論理グルーピング１１０２は、ユーザ機器において、第１のサービングセルから第１のダウンリンクキャリア上でデータを受信するための電気的構成要素１１０４を含み得る。その上、論理グルーピング１１０２は、ユーザ機器において、第１のサービングセルから独立している第２のサービングセルから、第２のダウンリンクキャリア上でデータを受信するための電気的構成要素１１０６を含み得る。さらに、例示的な態様では、論理グルーピング１１０２は、ユーザ機器によって、チャネルフィードバックを、第１のアップリンクキャリア上で、第１のサービングセルおよび第２のサービングセルのうち少なくとも１つへ送信するための電気的構成要素１１０８を含み得る。さらに、システム１１００は、電気的構成要素１１０４〜１１０８に関連する機能を実行するための命令を保持するメモリ１１２０を含むことができる。メモリ１１２０の外部にあるものとして示されているが、電気的構成要素１１０４〜１１０８のうちの１つまたは複数は、メモリ１１２０の内部に存在することができることを理解されたい。
【０１２１】
[00134]  図１１Ｂを参照すると、示されるものは、ワイヤレス通信のための、より具体的には、２つの独立セルまたはセクタからのＨＳＤＰＡのためのシステム１１５０である。たとえば、システム１１５０は、ＲＡＮ１０２（図１）など、無線アクセスのためのネットワーク装置内に、少なくとも部分的に常駐することができる。システム１１５０は、複数の機能ブロックを含むものとして表されており、その機能ブロックは、コンピューティングプラットフォーム、プロセッサ、ソフトウェア、またはそれらの組合せ（たとえば、ファームウェア）によって実装される機能を表す機能ブロックであり得ることを諒解されたい。システム１１５０は、連携して動作することができる電気的構成要素の論理グルーピング１１５２を含む。たとえば、論理グルーピング１１５２は、ＲＮＣによって、データの部分を、ユーザ機器へ送信するために第１のサービングセルおよび第２のサービングセルに割り当てるための電気的構成要素１１５４を含み得る。その上、論理グルーピング１１５２は、第１のサービングセルによって、第１のダウンリンクキャリア上でユーザ機器へデータを送信するための電気的構成要素１１５６を含み得る。さらに、論理グルーピング１１５２は、第１のサービングセルから独立している第２のサービングセルによって、第２のダウンリンクキャリア上でユーザ機器へデータを送信するための電気的構成要素１１５８を含み得る。例示的な追加では、論理グルーピング１１５２は、ＲＮＣによって、チャネルフィードバックを、第１のサービングセルおよび第２のサービングセルのうち少なくとも１つを介して、第１のアップリンクキャリア上でユーザ機器から受信するための電気的構成要素１１６０を含み得る。さらに、システム１１５０は、電気的構成要素１１５４〜１１６０に関連する機能を実行するための命令を保持するメモリ１１７０を含むことができる。メモリ１１７０の外部にあるものとして示されているが、電気的構成要素１１５４〜１１６０のうちの１つまたは複数は、メモリ１１７０の内部に存在することができることを理解されたい。
【０１２２】
[00135]  本開示の様々な態様によれば、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアは、コンピュータ可読媒体上に常駐し得る。コンピュータ可読媒体は、非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、搬送波、伝送線路、ならびに、コンピュータによってアクセスされ読み取られ得るソフトウェアおよび／または命令を送信するための、任意の他の好適な媒体を含み得る。コンピュータ可読媒体は、処理システムの内部に常駐するか、処理システムの外部にあるか、または処理システムを含む複数のエンティティにわたって分散され得る。コンピュータ可読媒体は、コンピュータプログラム製品において実施され得る。例として、コンピュータプログラム製品は、パッケージング材料中にコンピュータ可読媒体を含み得る。当業者なら、特定の適用例および全体的なシステムに課せられた全体的な設計制約に応じて、本開示全体にわたって提示される記載の機能をどのようにしたら最も良く実装することができるかを認識されよう。
【０１２３】
[00136]  開示した方法におけるステップの特定の順序または階層は、例示的なプロセスの一例であることを理解されたい。設計上の選好に基づいて、方法におけるステップの特定の順序または階層は並べ替えることができることを理解されたい。添付の方法クレームは、様々なステップの要素を例示的な順序で提示したものであり、本明細書中で特に記載されない限り、提示される特定の順序または階層に限定されるものではない。
【０１２４】
[00137]  以上の説明は、当業者が本明細書で説明した様々な態様を実行できるようにするために提供したものである。これらの態様に対する様々な変更が当業者には容易に明らかであり、本明細書で定義した一般的原理は他の態様に適用することができる。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の（one and only one）」を意味するものではなく、「１つまたは複数の」を意味するものである。別段に明記されていない限り、「いくつかの（some）」という語は「１つまたは複数の」を表す。項目のリスト「のうちの少なくとも１つ」を指す句は、個々のメンバーを含む、それらの項目の任意の組合せを指す。一例として、「ａ、ｂまたはｃのうちの少なくとも１つ」は、ａと、ｂと、ｃと、ａおよびｂと、ａおよびｃと、ｂおよびｃと、ａ、ｂおよびｃとを包含するように意図されている。当業者に知られている、または後に知られるようになる、本開示全体にわたって説明する様々な態様の要素の構造的および機能的な均等物のすべては、参照により本明細書に明確に組み込まれ、特許請求の範囲によって包含されるように意図されている。その上、本明細書に開示したいかなることも、そのような開示が特許請求の範囲に明示的に具陳されているかどうかにかかわらず、公に供するものではない。いかなるクレーム要素も、その要素が「手段」という語句を使用して明白に具陳されていない限り、または方法クレームの場合には、その要素が「ステップ」という語句を使用して具陳されていない限り、米国特許法第１１２条第６項の規定に基づいて解釈されるべきではない。
【図１】
2013543334.tif 000003
【図２Ａ】
2013543334.tif 000004
【図２Ｂ】
2013543334.tif 000005
【図３】
2013543334.tif 000006
【図４】
2013543334.tif 000007
【図５】
2013543334.tif 000008
【図６】
2013543334.tif 000009
【図７】
2013543334.tif 000010
【図８】
2013543334.tif 000011
【図９Ａ】
2013543334.tif 000012
【図９Ｂ】
2013543334.tif 000013
【図１０Ａ】
2013543334.tif 000014
【図１０Ｂ】
2013543334.tif 000015
【図１０Ｃ】
2013543334.tif 000016
【図１０Ｄ】
2013543334.tif 000017
【図１０Ｅ】
2013543334.tif 000018
【図１０Ｆ】
2013543334.tif 000019
【図１０Ｇ】
2013543334.tif 000020
【図１１Ａ】
2013543334.tif 000021
【図１１Ｂ】
2013543334.tif 000022
【国際調査報告】
2013543334.tif 000023
2013543334.tif 000024
2013543334.tif 000025
2013543334.tif 000026
2013543334.tif 000027